(57)【特許請求の範囲】
【請求項１】
生体の内部に導入されるとともに、アンテナを有する第１の無線装置と、  前記第１の無線装置と前記アンテナを介して通信する第２の無線装置と、を備えるとともに、  前記第１の無線装置は、  前記第１の無線装置が前記生体の内部に位置するか否かを検出する検出部と、  前記アンテナを介して信号を送信する送信部と、  前記第１の無線装置が前記生体の外部に位置すると検出された場合、前記信号が有する周波数を第１の周波数に制御し、一方、前記第１の無線装置が前記生体の内部に位置すると検出された場合、前記信号が有する周波数を第２の周波数に制御する制御部と、  を備え、  前記第１の無線装置が前記生体の外部に位置する場合、前記第１の無線装置と前記第２の無線装置との間の前記アンテナを介した通信に、前記第１の周波数を用い、一方、  前記第１の無線装置が前記生体の内部に位置する場合、前記通信に、前記第１の周波数よりも低い前記第２の周波数を用いる、無線通信システム。
【請求項２】
請求項１に記載の無線通信システムであって、  前記第２の無線装置は、  前記第１の周波数を有する信号を受信するとともに、前記第２の周波数を有する信号を受信する受信部を備える、無線通信システム。
【請求項３】
請求項１又は請求項２に記載の無線通信システムであって、  前記第１の無線装置は、  前記第１の周波数を有する信号を前記アンテナを介して送信するとともに、前記第２の周波数を有する信号を前記アンテナを介して送信する送信部を備える、無線通信システム。
【請求項４】
生体の内部に導入されるとともに、アンテナを有する第１の無線装置と、  前記第１の無線装置と前記アンテナを介して通信する第２の無線装置と、を備えるとともに、  前記第１の無線装置は、  前記第１の無線装置が前記生体の内部に位置するか否かを検出する検出部と、  前記検出の結果を前記第２の無線装置に通知する通知部と、  を備え、  前記第２の無線装置は、  信号を送信する送信部と、  前記第１の無線装置が前記生体の外部に位置する場合、前記信号が有する周波数を第１の周波数に制御し、一方、前記第１の無線装置が前記生体の内部に位置する場合、前記信号が有する周波数を第２の周波数に制御する制御部と、  を備え、  前記第１の無線装置が前記生体の外部に位置する場合、前記第１の無線装置と前記第２の無線装置との間の前記アンテナを介した通信に、前記第１の周波数を用い、一方、  前記第１の無線装置が前記生体の内部に位置する場合、前記通信に、前記第１の周波数よりも低い前記第２の周波数を用い、  更に、前記制御部は、前記通知された前記検出の結果に基づいて前記周波数の制御を行なう、無線通信システム。
【請求項５】
請求項１乃至請求項４のいずれか一項に記載の無線通信システムであって、  前記第２の無線装置は、  前記第１の周波数を有する信号を送信するとともに、前記第２の周波数を有する信号を送信する送信部を備える、無線通信システム。
【請求項６】
請求項５に記載の無線通信システムであって、  前記第１の無線装置は、前記第２の無線装置により送信された信号を変調し、且つ、前記変調された信号を送信する送信部を備える、無線通信システム。
【請求項７】
請求項１乃至請求項６のいずれか一項に記載の無線通信システムであって、  前記第１の無線装置は、前記アンテナの共振周波数を変更する変更部を備える、無線通信システム。
【請求項８】
生体の内部に導入されるとともに、アンテナを有する第１の無線装置と、  前記第１の無線装置と前記アンテナを介して通信する第２の無線装置と、  を備えるとともに、  前記第２の無線装置は、第１の周波数を有する応答信号の受信の待機及び前記第１の周波数を有する要求信号の送信と、前記第１の周波数よりも低い第２の周波数を有する応答信号の受信の待機及び前記第２の周波数を有する要求信号の送信と、のうちの、一方を実行し、且つ、他方を実行しないことにより、    前記第１の無線装置が前記生体の外部に位置する場合、前記第１の無線装置と前記第２の無線装置との間の前記アンテナを介した通信に、前記第１の周波数を用い、一方、    前記第１の無線装置が前記生体の内部に位置する場合、前記通信に、前記第１の周波数よりも低い前記第２の周波数を用い、  前記第２の無線装置は、前記の第１の周波数を有する応答信号の受信の待機及び前記の第１の周波数を有する要求信号の送信と、前記の第２の周波数を有する応答信号の受信の待機及び前記の第２の周波数を有する要求信号の送信と、のうちの、一方のみが所定の閾値時間以上に亘って継続した場合、他方を再度実行する、無線通信システム。
【請求項９】
生体の内部に導入されるとともに、アンテナを有する第１の無線装置と、  前記第１の無線装置と前記アンテナを介して通信する第２の無線装置と、を備え、  更に、前記第１の無線装置は、  前記第１の無線装置が前記生体の内部に位置するか否かを検出する検出部と、  前記アンテナを介して信号を送信する送信部と、を備える無線通信システムに適用される無線通信方法であって、  前記第１の無線装置が前記生体の外部に位置すると検出された場合、前記信号が有する周波数を第１の周波数に制御し、一方、前記第１の無線装置が前記生体の内部に位置すると検出された場合、前記信号が有する周波数を第２の周波数に制御することにより、  前記第１の無線装置が前記生体の外部に位置する場合、前記第１の無線装置と前記第２の無線装置との間の前記アンテナを介した通信に、前記第１の周波数を用い、一方、前記第１の無線装置が前記生体の内部に位置する場合、前記通信に、前記第１の周波数よりも低い前記第２の周波数を用いる、無線通信方法。
【請求項１０】
生体の内部に導入されるとともに、アンテナを有する第１の無線装置と、  前記第１の無線装置と前記アンテナを介して通信する第２の無線装置と、を備え、  前記第１の無線装置は、  前記第１の無線装置が前記生体の内部に位置するか否かを検出する検出部と、  前記検出の結果を前記第２の無線装置に通知する通知部と、を備えるとともに、  前記第２の無線装置は、信号を送信する送信部を備える無線通信システムに適用される無線通信方法であって、  前記通知部から通知された前記検出の結果に基づいて、前記第１の無線装置が前記生体の外部に位置する場合、前記信号が有する周波数を第１の周波数に制御し、一方、前記第１の無線装置が前記生体の内部に位置する場合、前記信号が有する周波数を第２の周波数に制御することにより、  前記第１の無線装置が前記生体の外部に位置する場合、前記第１の無線装置と前記第２の無線装置との間の前記アンテナを介した通信に、前記第１の周波数を用い、一方、  前記第１の無線装置が前記生体の内部に位置する場合、前記通信に、前記第１の周波数よりも低い前記第２の周波数を用いる、無線通信方法。
【請求項１１】
生体の内部に導入されるとともに、アンテナを有する第１の無線装置と、  前記第１の無線装置と前記アンテナを介して通信する第２の無線装置と、を備える無線通信システムに適用される無線通信方法であって、  前記第２の無線装置は、第１の周波数を有する応答信号の受信の待機及び前記第１の周波数を有する要求信号の送信と、前記第１の周波数よりも低い第２の周波数を有する応答信号の受信の待機及び前記第２の周波数を有する要求信号の送信と、のうちの、一方を実行し、且つ、他方を実行しないことにより、    前記第１の無線装置が前記生体の外部に位置する場合、前記第１の無線装置と前記第２の無線装置との間の前記アンテナを介した通信に、前記第１の周波数を用い、一方、    前記第１の無線装置が前記生体の内部に位置する場合、前記通信に、前記第１の周波数よりも低い第２の周波数を用い、  前記第２の無線装置は、前記の第１の周波数を有する応答信号の受信の待機及び前記の第１の周波数を有する要求信号の送信と、前記の第２の周波数を有する応答信号の受信の待機及び前記の第２の周波数を有する要求信号の送信と、のうちの、一方のみが所定の閾値時間以上に亘って継続した場合、他方を再度実行する、無線通信方法。
【請求項１２】
生体の内部に導入されるとともに、アンテナを有する無線装置であって、  前記無線装置が前記生体の内部に位置するか否かを検出する検出部と、  前記アンテナを介して信号を送信する送信部と、  前記無線装置が前記生体の外部に位置すると検出された場合、前記信号が有する周波数を第１の周波数に制御し、一方、前記無線装置が前記生体の内部に位置すると検出された場合、前記信号が有する周波数を前記第１の周波数よりも低い第２の周波数に制御する制御部と、  を備える、無線装置。
【請求項１３】
アンテナと生体の内部に位置するか否かを検出する検出部と前記検出の結果を通知する通知部とを有し前記生体の内部に導入されうる第１の無線装置と、前記アンテナを介して、通信する第２の無線装置としての無線装置であって、  信号を送信する送信部と、  前記第１の無線装置が前記生体の外部に位置する場合、前記信号が有する周波数を第１の周波数に制御し、一方、前記第１の無線装置が前記生体の内部に位置する場合、前記信号が有する周波数を前記第１の周波数よりも低い第２の周波数に制御する制御部と、を備え、  更に、前記制御部は、前記通知された前記検出の結果に基づいて前記周波数の制御を行なう、無線装置。
【発明の詳細な説明】
【技術分野】
【０００１】
本発明は、無線通信システム、無線通信方法、及び、無線装置に関する。
【背景技術】
【０００２】
生体の内部に導入されるとともに、アンテナを有する第１の無線装置と、第１の無線装置と当該アンテナを介して通信する第２の無線装置と、を備える無線通信システムが知られている（例えば、特許文献１等）。
【先行技術文献】
【特許文献】
【０００３】
【特許文献１】特表２０１４−５２５７８０号公報
【発明の概要】
【発明が解決しようとする課題】
【０００４】
ところで、上記無線通信システムにおいて、第１の無線装置と第２の無線装置との間の通信は、第１の無線装置が生体の内部に位置する場合だけでなく、第１の無線装置が生体の外部に位置する場合においても行なわれることがある。【０００５】
第１の無線装置が生体の内部に位置する場合、アンテナは、生体の内部の液体（例えば、消化液等）と接することが多い。一方、第１の無線装置が生体の外部に位置する場合、アンテナは、空気と接することが多い。また、生体の内部の液体の誘電率は、空気の誘電率と異なる。【０００６】
このため、第１の無線装置が生体の内部に位置する場合におけるアンテナの共振周波数は、第１の無線装置が生体の外部に位置する場合におけるアンテナの共振周波数と異なりやすい。従って、第１の無線装置が生体の内部に位置する場合と、第１の無線装置が生体の外部に位置する場合と、の両方において、第１の無線装置と第２の無線装置との間の通信を行なうことができない虞があった。【０００７】
本発明の目的の一つは、無線装置が生体の内部及び外部のいずれに位置する場合であっても通信することにある。
【課題を解決するための手段】
【０００８】
一つの側面では、無線通信システムは、
生体の内部に導入されるとともに、アンテナを有する第１の無線装置と、
上記第１の無線装置と上記アンテナを介して通信する第２の無線装置と、を備える。
上記無線通信システムは、
上記第１の無線装置が上記生体の外部に位置する場合、上記第１の無線装置と上記第２の無線装置との間の上記アンテナを介した通信に、第１の周波数を用い、一方、
上記第１の無線装置が上記生体の内部に位置する場合、上記通信に、上記第１の周波数よりも低い第２の周波数を用いる。【０００９】
他の一つの側面では、無線通信方法は、
生体の内部に導入されるとともに、アンテナを有する第１の無線装置と、
上記第１の無線装置と上記アンテナを介して通信する第２の無線装置と、を備える無線通信システムに適用される。【００１０】
上記無線通信方法は、
上記第１の無線装置が上記生体の外部に位置する場合、上記第１の無線装置と上記第２の無線装置との間の上記アンテナを介した通信に、第１の周波数を用い、一方、上記第１の無線装置が上記生体の内部に位置する場合、上記通信に、上記第１の周波数よりも低い第２の周波数を用いる。【００１１】
他の一つの側面では、無線装置は、生体の内部に導入されるとともに、アンテナを有する。
上記無線装置は、
上記無線装置が上記生体の内部に位置するか否かを検出する検出部と、
上記アンテナを介して信号を送信する送信部と、
上記無線装置が上記生体の外部に位置すると検出された場合、上記信号が有する周波数を第１の周波数に制御し、一方、上記無線装置が上記生体の内部に位置すると検出された場合、上記信号が有する周波数を上記第１の周波数よりも低い第２の周波数に制御する制御部と、
を備える。【００１２】
他の一つの側面では、無線装置は、生体の内部に導入されるとともに、アンテナを有する第１の無線装置と上記アンテナを介して通信する第２の無線装置としての装置である。【００１３】
上記無線装置は、
信号を送信する送信部と、
上記第１の無線装置が上記生体の外部に位置する場合、上記信号が有する周波数を第１の周波数に制御し、一方、上記第１の無線装置が上記生体の内部に位置する場合、上記信号が有する周波数を上記第１の周波数よりも低い第２の周波数に制御する制御部と、
を備える。
【発明の効果】
【００１４】
無線装置が生体の内部及び外部のいずれに位置する場合であっても通信することができる。
【図面の簡単な説明】
【００１５】
【図１】第１実施形態の無線通信システムの構成を表すブロック図である。
【図２】図１のリーダ装置の構成を表すブロック図である。
【図３】図１のタグ装置の構成を表すブロック図である。
【図４】図１の無線通信システムの動作の一例を表すシーケンス図である。
【図５】図１の無線通信システムの動作の一例を表すシーケンス図である。
【図６】第１実施形態の変形例の無線通信システムの動作の一例を表すシーケンス図である。
【図７】第１実施形態の第１変形例のリーダ装置の構成を表すブロック図である。
【図８】第１実施形態の第１変形例のタグ装置の構成を表すブロック図である。
【図９】第１実施形態の第１変形例の無線通信システムの動作の一例を表すシーケンス図である。
【図１０】第１実施形態の第１変形例の無線通信システムの動作の一例を表すシーケンス図である。
【図１１】第２実施形態のリーダ装置の構成を表すブロック図である。
【図１２】第２実施形態のタグ装置の構成を表すブロック図である。
【図１３】第２実施形態の無線通信システムの動作の一例を表すシーケンス図である。
【図１４】第２実施形態の第１変形例のタグ装置の構成を表すブロック図である。
【図１５】第２実施形態の第１変形例の無線通信システムの動作の一例を表すシーケンス図である。
【図１６】第２実施形態の第１変形例の無線通信システムの動作の一例を表すシーケンス図である。
【図１７】第３実施形態のリーダ装置の構成を表すブロック図である。
【図１８】第３実施形態のタグ装置の構成を表すブロック図である。
【図１９】第３実施形態の無線通信システムの動作の一例を表すシーケンス図である。
【図２０】第３実施形態の第１変形例のタグ装置の構成を表すブロック図である。
【図２１】第３実施形態の第１変形例の無線通信システムの動作の一例を表すシーケンス図である。
【図２２】第３実施形態の第１変形例の無線通信システムの動作の一例を表すシーケンス図である。
【発明を実施するための形態】
【００１６】
以下、本発明の、無線通信システム、無線通信方法、及び、無線装置、に関する各実施形態について図１乃至図２２を参照しながら説明する。
【００１７】
＜第１実施形態＞
（構成）
図１に表されるように、第１実施形態の無線通信システム１は、リーダ装置１０と、タグ装置２０と、を備える。本例では、無線通信システム１は、ＲＦＩＤ（Ｒａｄｉｏ  Ｆｒｅｑｕｅｎｃｙ  Ｉｄｅｎｔｉｆｉｅｒ）システムである。
【００１８】
なお、無線通信システム１は、ＲＦＩＤシステムと異なる無線通信システムであってもよい。例えば、無線通信システム１は、所定の無線通信方式に従って通信を行なってよい。例えば、無線通信方式は、Ｂｌｕｅｔｏｏｔｈ  Ｌｏｗ  Ｅｎｅｒｇｙ（ＢＬＥ）方式、ＡＮＴ方式、ＡＮＴ＋方式、又は、ＺｉｇＢｅｅ方式である。「ＢＬＵＥＴＯＯＴＨ」、「ＡＮＴ＋」、及び、「ＺＩＧＢＥＥ」は、登録商標である。ＢＬＥは、Ｂｌｕｅｔｏｏｔｈ  ４．０、Ｂｌｕｅｔｏｏｔｈ  Ｓｍａｒｔ、又は、Ｂｌｕｅｔｏｏｔｈ  Ｓｍａｒｔ  Ｒｅａｄｙと表されてもよい。
【００１９】
タグ装置２０は、ＲＦＩＤ、ＲＦＩＤタグ、無線タグ、又は、ＩＣ（Ｉｎｔｅｇｒａｔｅｄ  Ｃｉｒｃｕｉｔ）タグと表されてもよい。
本例では、タグ装置２０は、第１の無線装置に対応する。本例では、リーダ装置１０は、第２の無線装置に対応する。
【００２０】
タグ装置２０は、生体（本例では、人体）の内部に導入可能に構成される。本例では、タグ装置２０は、経口により生体の内部に導入可能に構成される。例えば、タグ装置２０は、義歯に取り付けられる。なお、タグ装置２０は、義歯の少なくとも一部を構成してもよい。本例では、義歯は、局部床義歯（換言すると、部分入れ歯）である。なお、義歯は、総義歯（換言すると、総入れ歯）であってもよい。また、タグ装置２０は、物理量を検出するセンサに取り付けられてもよいし、当該センサの少なくとも一部を構成してもよい。また、タグ装置２０は、カプセル剤又は錠剤等の製剤に取り付けられてもよいし、当該製剤の少なくとも一部を構成してもよい。
【００２１】
（構成：リーダ装置）
図２に表されるように、リーダ装置１０は、制御回路１１０と、第１の送信回路１２１と、第２の送信回路１２２と、第１の送信アンテナ１３１と、第２の送信アンテナ１３２と、第１の受信アンテナ１４１と、第２の受信アンテナ１４２と、第１の受信回路１５１と、第２の受信回路１５２と、を備える。
【００２２】
本例では、第１の送信回路１２１、及び、第２の送信回路１２２は、送信部に対応する。本例では、第１の受信回路１５１、及び、第２の受信回路１５２は、受信部に対応する。本例では、制御回路１１０は、制御部に対応する。
【００２３】
本例では、リーダ装置１０の少なくとも一部は、ＬＳＩ（Ｌａｒｇｅ  Ｓｃａｌｅ  Ｉｎｔｅｇｒａｔｉｏｎ）回路により構成される。なお、リーダ装置１０の少なくとも一部は、プログラム可能な論理回路（例えば、ＰＬＤ、又は、ＦＰＧＡ）により構成されてもよい。ＰＬＤは、Ｐｒｏｇｒａｍｍａｂｌｅ  Ｌｏｇｉｃ  Ｄｅｖｉｃｅの略記である。ＦＰＧＡは、Ｆｉｅｌｄ−Ｐｒｏｇｒａｍｍａｂｌｅ  Ｇａｔｅ  Ａｒｒａｙの略記である。
【００２４】
また、リーダ装置１０は、処理装置と記憶装置とを備えるとともに、処理装置が記憶装置に記憶されたプログラムを実行することにより、リーダ装置１０の機能の少なくとも一部を実現してもよい。例えば、処理装置は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、又は、ＤＳＰ（Ｄｉｇｉｔａｌ  Ｓｉｇｎａｌ  Ｐｒｏｃｅｓｓｏｒ）を含んでもよい。また、記憶装置は、ＲＡＭ（Ｒａｎｄｏｍ  Ａｃｃｅｓｓ  Ｍｅｍｏｒｙ）、半導体メモリ、又は、有機メモリを含んでもよい。
【００２５】
なお、リーダ装置１０は、携帯電話機、スマートフォン、又は、パーソナルコンピュータ等の少なくとも一部を構成していてもよい。また、リーダ装置１０は、携帯電話機、スマートフォン、又は、パーソナルコンピュータ等に接続されていてもよい。
【００２６】
第１の送信回路１２１は、第１の送信アンテナ１３１を介して、搬送波が第１の周波数を有する要求信号（換言すると、第１の要求信号）を送信する。本例では、第１の周波数は、ＩＳＭ（Ｉｎｄｕｓｔｒｙ−Ｓｃｉｅｎｃｅ−Ｍｅｄｉｃａｌ）バンドと呼ばれる複数の周波数帯のうちの第１の周波数帯に含まれる。本例では、第１の周波数は、５．８ＧＨｚ帯（例えば、５．７２５ＧＨｚ乃至５．８７５ＧＨｚ）に含まれる。本例では、要求信号は、タグ装置２０に情報の送信を要求する信号である。本例では、要求信号は、時間軸において連続する、第１の信号構成部、第２の信号構成部、及び、第３の信号構成部、を含む。
【００２７】
第１の信号構成部、及び、第３の信号構成部のそれぞれは、無変調波（換言すると、搬送波）である。第２の信号構成部は、変調波（換言すると、搬送波が変調された電波）である。例えば、第２の信号構成部は、特定情報を表す。特定情報は、タグ装置２０に送信を要求する情報を特定する。
本例では、第１の信号構成部、第２の信号構成部、及び、第３の信号構成部は、予め定められた、第１の時間長、第２の時間長、及び、第３の時間長をそれぞれ有する。
【００２８】
第２の送信回路１２２は、第２の送信アンテナ１３２を介して、搬送波が第２の周波数を有する要求信号（換言すると、第２の要求信号）を送信する。第２の周波数は、第１の周波数よりも低い。本例では、第２の周波数は、第１の周波数の半分よりも低い。本例では、第２の周波数は、ＩＳＭバンドと呼ばれる複数の周波数帯のうちの、第１の周波数帯よりも低い第２の周波数帯に含まれる。本例では、第２の周波数は、２．４５ＧＨｚ帯（例えば、２．４ＧＨｚ乃至２．５ＧＨｚ）に含まれる。
【００２９】
第１の受信回路１５１は、第１の受信アンテナ１４１を介して、搬送波が第１の周波数を有する応答信号（換言すると、第１の応答信号）を受信する。本例では、応答信号は、特定情報により特定される情報（換言すると、応答情報）を表す。応答情報は、後述するように、タグ装置２０が記憶している情報、及び、タグ装置２０が生成した情報、の少なくとも１つを含む。本例では、後述するように、応答信号は、要求信号のうちの第３の信号構成部の少なくとも一部が、タグ装置２０により反射されることにより変調された信号である。
【００３０】
第２の受信回路１５２は、第２の受信アンテナ１４２を介して、搬送波が第２の周波数を有する応答信号（換言すると、第２の応答信号）を受信する。
【００３１】
制御回路１１０は、第１の送信回路１２１に要求信号の送信を開始させるように、第１の送信回路１２１を制御する。更に、制御回路１１０は、第１の送信回路１２１に要求信号の送信を終了させるように、第１の送信回路１２１を制御する。制御回路１１０は、第１の送信回路１２１と同様に、第２の送信回路１２２を制御する。
【００３２】
制御回路１１０は、第１の受信回路１５１に応答信号の受信の待機を開始させるように、第１の受信回路１５１を制御する。更に、制御回路１１０は、第１の受信回路１５１に応答信号の受信の待機を終了させるように、第１の受信回路１５１を制御する。制御回路１１０は、第１の受信回路１５１と同様に、第２の受信回路１５２を制御する。
【００３３】
本例では、制御回路１１０は、第１の送信回路１２１及び第２の送信回路１２２に、同時に、要求信号の送信を開始させるとともに、第１の受信回路１５１及び第２の受信回路１５２に、同時に、応答信号の受信の待機を開始させる。本例では、制御回路１１０は、応答信号の受信の待機が、要求信号の送信の開始と略同時に開始するように第１の受信回路１５１及び第２の受信回路１５２を制御する。なお、応答信号の受信の待機は、要求信号の送信の開始から所定の遅延時間だけ経過した後に開始してもよい。
【００３４】
また、制御回路１１０は、第１の送信回路１２１による要求信号の送信と、第２の送信回路１２２による要求信号の送信と、が交互に行なわれるように、第１の送信回路１２１及び第２の送信回路１２２を制御してもよい。
【００３５】
この場合、制御回路１１０は、第１の送信回路１２１により要求信号の送信が行なわれている期間の少なくとも一部において、第１の受信回路１５１による応答信号の受信の待機を行なうように、第１の受信回路１５１を制御する。更に、この場合、制御回路１１０は、第２の送信回路１２２により要求信号の送信が行なわれている期間の少なくとも一部において、第２の受信回路１５２による応答信号の受信の待機を行なうように、第２の受信回路１５２を制御する。
【００３６】
更に、本例では、制御回路１１０は、第１の受信回路１５１により受信された第１の応答信号と、第２の受信回路１５２により受信された第２の応答信号と、のうちの強度が大きい方のみに基づいて応答情報を取得する。例えば、信号の強度は、信号の電力、信号の振幅、又は、信号の電力及び信号の振幅の少なくとも１つが大きくなるほど大きくなるパラメータである。
【００３７】
なお、制御回路１１０は、第１の受信回路１５１により受信された第１の応答信号の強度と、第２の受信回路１５２により受信された第２の応答信号の強度と、に基づいて、タグ装置２０が生体の外部から生体の内部へ導入されたことを検出してもよい。この場合、制御回路１１０は、第１の応答信号の強度が第２の応答信号の強度よりも大きい状態が、第２の応答信号の強度が第１の応答信号の強度よりも大きい状態に変化した場合に、タグ装置２０が生体の外部から生体の内部へ導入されたことを検出してよい。
【００３８】
また、制御回路１１０は、第１の受信回路１５１により受信された第１の応答信号の強度と、第２の受信回路１５２により受信された第２の応答信号の強度と、に基づいて、タグ装置２０が生体の内部から生体の外部へ排出されたことを検出してもよい。この場合、制御回路１１０は、第２の応答信号の強度が第１の応答信号の強度よりも大きい状態が、第１の応答信号の強度が第２の応答信号の強度よりも大きい状態に変化した場合に、タグ装置２０が生体の内部から生体の外部へ排出されたことを検出してよい。
【００３９】
（構成：タグ装置）
図３に表されるように、タグ装置２０は、アンテナ２１０と、ＩＣ部２２０と、を備える。本例では、ＩＣ部２２０は、送信部に対応する。
【００４０】
本例では、タグ装置２０の少なくとも一部は、ＬＳＩ回路により構成される。なお、タグ装置２０の少なくとも一部は、プログラム可能な論理回路により構成されてもよい。また、タグ装置２０は、処理装置と記憶装置とを備えるとともに、処理装置が記憶装置に記憶されたプログラムを実行することにより、タグ装置２０の機能の少なくとも一部を実現してもよい。
【００４１】
アンテナ２１０は、第１のアンテナ構成部２１１と、第２のアンテナ構成部２１２と、を備える。本例では、第１のアンテナ構成部２１１、及び、第２のアンテナ構成部２１２は、ダイポールアンテナを構成する。本例では、第１のアンテナ構成部２１１、及び、第２のアンテナ構成部２１２は、メアンダ形状を有する。なお、第１のアンテナ構成部２１１、及び、第２のアンテナ構成部２１２は、メアンダ形状と異なる形状（例えば、直線形状）を有してもよい。
【００４２】
本例では、アンテナ２１０の共振周波数は、アンテナ２１０が空気と接する場合において、第１の周波数と略一致する。また、本例では、アンテナ２１０の共振周波数は、アンテナ２１０が生体の内部の液体（本例では、唾液等の消化液）と接する場合において、第２の周波数と略一致する。
【００４３】
なお、アンテナ２１０は、ダイポールアンテナと異なるアンテナ（例えば、ループアンテナ、板状アンテナ、又は、平面アンテナ等）であってもよい。
【００４４】
ＩＣ部２２０は、第１のアンテナ構成部２１１及び第２のアンテナ構成部２１２に接続される。ＩＣ部２２０は、スイッチング素子２２１と、変調回路２２２と、を備える。
本例では、タグ装置２０は、パッシブ型である。ＩＣ部２２０は、アンテナ２１０が信号を受信することにより、第１のアンテナ構成部２１１及び第２のアンテナ構成部２１２の間に生じた電位差によって動作する。
【００４５】
本例では、ＩＣ部２２０は、図示されない整流器及びコンデンサを備えるとともに、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【００４６】
更に、ＩＣ部２２０は、要求信号のうちの第２の信号構成部が受信されている期間の少なくとも一部において、コンデンサに蓄電された電力を用いることにより、第２の信号構成部を復調する。ＩＣ部２２０は、復調された信号に基づいて、特定情報を取得する。
【００４７】
スイッチング素子２２１は、第１のアンテナ構成部２１１と第２のアンテナ構成部２１２とを短絡する（換言すると、接続する）短絡状態と、第１のアンテナ構成部２１１と第２のアンテナ構成部２１２とを遮断する（換言すると、接続しない）遮断状態と、の間で、スイッチング素子２２１の状態が切り替わる。
【００４８】
本例では、スイッチング素子２２１の状態が短絡状態である場合における反射強度は、スイッチング素子２２１の状態が遮断状態である場合における反射強度よりも大きい。反射強度は、アンテナ２１０により受信された信号のうちの、タグ装置２０により反射された信号（換言すると、タグ装置２０により送信された信号）の強度である。
【００４９】
換言すると、スイッチング素子２２１の状態が遮断状態である場合において、アンテナ２１０により受信された信号の電力のうちの、ＩＣ部２２０によって吸収される電力は、スイッチング素子２２１の状態が短絡状態である場合よりも大きい。
【００５０】
変調回路２２２は、要求信号のうちの第３の信号構成部が受信されている期間の少なくとも一部において、コンデンサに蓄電された電力を用いることにより、特定情報により特定される情報（換言すると、応答情報）に基づいて、スイッチング素子２２１の状態を制御する。本例では、変調回路２２２は、応答情報を表す少なくとも１つのビットのそれぞれに対して、スイッチング素子２２１の状態を、当該ビットの値に関連付けられた状態に制御する。
【００５１】
本例では、短絡状態は、ビットの値としての１に関連付けられるとともに、遮断状態は、ビットの値としての０に関連付けられる。なお、短絡状態は、ビットの値としての０に関連付けられるとともに、遮断状態は、ビットの値としての１に関連付けられてもよい。
【００５２】
本例では、応答情報は、ＩＣ部２２０が予め記憶している情報を含む。例えば、応答情報は、タグ装置２０を識別する識別子を含んでよい。なお、タグ装置２０が物理量を検出するセンサを備える場合、応答情報は、ＩＣ部２２０が予め記憶している情報に代えて、又は、ＩＣ部２２０が予め記憶している情報に加えて、当該センサによって検出された物理量を表す情報を含んでもよい。例えば、物理量は、温度、湿度、照度、ｐＨ、加速度、角速度、圧力、又は、対象物の濃度等である。例えば、対象物は、消化液（例えば、唾液、胃液、腸液、又は、膵液等）、血液、常在菌、又は、感染性物質（例えば、細菌、又は、ウイルス等）である。
【００５３】
換言すると、本例では、ＩＣ部２２０は、振幅変調（ＡＭ；Ａｍｐｌｉｔｕｄｅ  Ｍｏｄｕｌａｔｉｏｎ）方式に従って、アンテナ２１０により受信された要求信号を変調し、且つ、変調された要求信号を応答信号として送信する。また、換言すると、本例では、タグ装置２０は、バックスキャッタ方式に従って、応答情報を表す応答信号を送信する。
【００５４】
なお、ＩＣ部２２０は、ＡＭ方式と異なる変調方式に従って変調を行なってもよい。例えば、変調方式は、周波数変調（ＦＭ；Ｆｒｅｑｕｅｎｃｙ  Ｍｏｄｕｌａｔｉｏｎ）方式、又は、位相変調（ＰＭ；Ｐｈａｓｅ  Ｍｏｄｕｌａｔｉｏｎ）方式であってよい。また、例えば、変調方式は、ＡＭ方式、ＦＭ方式、及び、ＰＭ方式の少なくとも２つの組み合わせであってよい。
【００５５】
（動作）
次に、第１実施形態の無線通信システム１の動作について、図４及び図５を参照しながら説明する。
先ず、タグ装置２０が生体の外部に位置する場合を想定する。この場合、タグ装置２０のアンテナ２１０は、空気と接する。
【００５６】
リーダ装置１０は、搬送波が第１の周波数を有する要求信号（換言すると、第１の要求信号）の送信と、搬送波が第２の周波数を有する要求信号（換言すると、第２の要求信号）の送信と、を開始するとともに、搬送波が第１の周波数を有する応答信号（換言すると、第１の応答信号）の受信の待機と、搬送波が第２の周波数を有する応答信号（換言すると、第２の応答信号）の受信の待機と、を開始する（図４のステップＳ１０１）。
【００５７】
一方、タグ装置２０は、第１の要求信号と、第２の要求信号と、を受信する。上記仮定に従えば、アンテナ２１０が空気と接しているので、アンテナ２１０の共振周波数は、第１の周波数と略一致する。従って、アンテナ２１０により受信される第１の要求信号の強度は、アンテナ２１０により受信される第２の要求信号の強度よりも大きい。
【００５８】
タグ装置２０は、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【００５９】
更に、タグ装置２０は、要求信号のうちの第２の信号構成部が受信されている期間の少なくとも一部において、コンデンサに蓄電された電力を用いることにより、第２の信号構成部を復調し、復調された信号に基づいて、特定情報を取得する。
【００６０】
タグ装置２０は、要求信号のうちの第３の信号構成部が受信されている期間の少なくとも一部において、コンデンサに蓄電された電力を用いることにより、応答情報に基づいて、アンテナ２１０により受信された要求信号を変調し、且つ、変調された要求信号を応答信号として送信する（図４のステップＳ１０２）。このようにして、本例では、タグ装置２０は、バックスキャッタ方式に従って、応答情報を表す応答信号を送信する。
【００６１】
本例では、アンテナ２１０により送信される応答信号は、搬送波が第１の周波数を有する第１の応答信号（換言すると、第１の成分）と、搬送波が第２の周波数を有する第２の応答信号（換言すると、第２の成分）と、を含む。上記仮定に従えば、アンテナ２１０の共振周波数が、第１の周波数と略一致するので、第１の応答信号の強度は、第２の応答信号の強度よりも大きい。
【００６２】
一方、リーダ装置１０は、タグ装置２０により送信された応答信号を受信する。リーダ装置１０は、受信された応答信号に含まれる、第１の応答信号及び第２の応答信号のうちの強度が大きい方のみに基づいて応答情報を取得する。従って、上記仮定に従えば、リーダ装置１０は、受信された応答信号に含まれる第１の応答信号及び第２の応答信号のうちの、第１の応答信号のみに基づいて応答情報を取得する。
【００６３】
次に、タグ装置２０が生体の内部に位置する場合を想定する。この場合、タグ装置２０のアンテナ２１０は、生体の内部の液体（本例では、唾液）と接する。
【００６４】
この場合においても、上述した場合と同様に、リーダ装置１０は、第１の要求信号の送信と、第２の要求信号の送信と、を開始するとともに、第１の応答信号の受信の待機と、第２の応答信号の受信の待機と、を開始する（図５のステップＳ１０１）。
【００６５】
一方、タグ装置２０は、第１の要求信号と、第２の要求信号と、を受信する。上記仮定に従えば、アンテナ２１０が生体の内部の液体と接しているので、アンテナ２１０の共振周波数は、第２の周波数と略一致する。従って、アンテナ２１０により受信される第２の要求信号の強度は、アンテナ２１０により受信される第１の要求信号の強度よりも大きい。
【００６６】
タグ装置２０は、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【００６７】
更に、タグ装置２０は、要求信号のうちの第２の信号構成部が受信されている期間の少なくとも一部において、コンデンサに蓄電された電力を用いることにより、第２の信号構成部を復調し、復調された信号に基づいて、特定情報を取得する。
【００６８】
タグ装置２０は、要求信号のうちの第３の信号構成部が受信されている期間の少なくとも一部において、コンデンサに蓄電された電力を用いることにより、応答情報に基づいて、アンテナ２１０により受信された要求信号を変調し、且つ、変調された要求信号を応答信号として送信する（図５のステップＳ１０２）。このようにして、本例では、タグ装置２０は、バックスキャッタ方式に従って、応答情報を表す応答信号を送信する。
【００６９】
本例では、アンテナ２１０により送信される応答信号は、搬送波が第１の周波数を有する第１の応答信号（換言すると、第１の成分）と、搬送波が第２の周波数を有する第２の応答信号（換言すると、第２の成分）と、を含む。上記仮定に従えば、アンテナ２１０の共振周波数が、第２の周波数と略一致するので、第２の応答信号の強度は、第１の応答信号の強度よりも大きい。
【００７０】
一方、リーダ装置１０は、タグ装置２０により送信された応答信号を受信する。リーダ装置１０は、受信された応答信号に含まれる、第１の応答信号及び第２の応答信号のうちの強度が大きい方のみに基づいて応答情報を取得する。従って、上記仮定に従えば、リーダ装置１０は、受信された応答信号に含まれる第１の応答信号及び第２の応答信号のうちの、第２の応答信号のみに基づいて応答情報を取得する。
【００７１】
以上、説明したように、第１実施形態の無線通信システム１は、タグ装置２０が生体の外部に位置する場合、タグ装置２０とリーダ装置１０との間のアンテナ２１０を介した通信に、第１の周波数を用いる。更に、無線通信システム１は、タグ装置２０が生体の内部に位置する場合、タグ装置２０とリーダ装置１０との間のアンテナ２１０を介した通信に、第１の周波数よりも低い第２の周波数を用いる。
【００７２】
これによれば、タグ装置２０が生体の内部及び外部のいずれに位置する場合であっても、リーダ装置１０は、タグ装置２０が有するアンテナ２１０を介して、タグ装置２０と通信できる。
【００７３】
更に、第１実施形態のリーダ装置１０は、第１の周波数を有する信号を受信するとともに、第２の周波数を有する信号を受信する。
【００７４】
これによれば、タグ装置２０が生体の外部に位置する場合、リーダ装置１０は、第１の周波数を有する信号を受信できる。また、タグ装置２０が生体の内部に位置する場合、リーダ装置１０は、第２の周波数を有する信号を受信できる。従って、タグ装置２０が生体の内部及び外部のいずれに位置する場合であっても、リーダ装置１０は、タグ装置２０が有するアンテナ２１０を介して、タグ装置２０と通信できる。
【００７５】
更に、第１実施形態のリーダ装置１０は、第１の周波数を有する信号を送信するとともに、第２の周波数を有する信号を送信する。
【００７６】
これによれば、タグ装置２０が生体の外部に位置する場合、タグ装置２０は、第１の周波数を有する信号を受信できる。また、タグ装置２０が生体の内部に位置する場合、タグ装置２０は、第２の周波数を有する信号を受信できる。従って、タグ装置２０が生体の内部及び外部のいずれに位置する場合であっても、タグ装置２０は、タグ装置２０が有するアンテナ２１０を介して、リーダ装置１０と通信できる。
【００７７】
更に、第１実施形態のタグ装置２０は、リーダ装置１０により送信された信号を変調し、且つ、変調された信号を送信する。
【００７８】
これによれば、タグ装置２０が生体の外部に位置する場合、リーダ装置１０は、第１の周波数を有する信号を受信できる。また、タグ装置２０が生体の内部に位置する場合、リーダ装置１０は、第２の周波数を有する信号を受信できる。従って、タグ装置２０が生体の内部及び外部のいずれに位置する場合であっても、リーダ装置１０は、タグ装置２０が有するアンテナ２１０を介して、タグ装置２０と通信できる。
【００７９】
なお、無線通信システム１は、第１の周波数として、２．４５ＧＨｚ帯（例えば、２．４ＧＨｚ乃至２．５ＧＨｚ）に含まれる周波数を用いるとともに、第２の周波数として、９００ＭＨｚ帯（例えば、９１５ＭＨｚ乃至９５５ＭＨｚ）に含まれる周波数を用いてもよい。
【００８０】
また、無線通信システム１は、第１の周波数として、５．８ＧＨｚ帯（例えば、５．７２５ＧＨｚ乃至５．８７５ＧＨｚ）に含まれる周波数を用いるとともに、第２の周波数として、９００ＭＨｚ帯（例えば、９１５ＭＨｚ乃至９５５ＭＨｚ）に含まれる周波数を用いてもよい。
【００８１】
また、無線通信システム１は、第１の周波数として、６０ＧＨｚ帯（例えば、５７ＧＨｚ乃至６６ＧＨｚ）に含まれる周波数を用いるとともに、第２の周波数として、５．８ＧＨｚ帯（例えば、５．７２５ＧＨｚ乃至５．８７５ＧＨｚ）に含まれる周波数を用いてもよい。
【００８２】
また、無線通信システム１は、第１の周波数として、２４ＧＨｚ帯（例えば、２４ＧＨｚ乃至２４．２５ＧＨｚ）に含まれる周波数を用いるとともに、第２の周波数として、５．８ＧＨｚ帯（例えば、５．７２５ＧＨｚ乃至５．８７５ＧＨｚ）に含まれる周波数を用いてもよい。
【００８３】
また、タグ装置２０は、アンテナ２１０の共振周波数を変更する変更部を備えていてもよい。例えば、変更部は、第１の延長用アンテナ構成部と、第２の延長用アンテナ構成部と、第１のスイッチング素子と、第２のスイッチング素子と、を備えていてもよい。
【００８４】
第１の延長用アンテナ構成部は、第１のスイッチング素子を介して第１のアンテナ構成部２１１に接続される。第１のスイッチング素子は、第１のアンテナ構成部２１１と第１の延長用アンテナ構成部とを接続する状態と、第１のアンテナ構成部２１１と第１の延長用アンテナ構成部とを遮断する状態と、に第１のスイッチング素子の状態が切り替わる。
【００８５】
第２の延長用アンテナ構成部は、第２のスイッチング素子を介して第２のアンテナ構成部２１２に接続される。第２のスイッチング素子は、第２のアンテナ構成部２１２と第２の延長用アンテナ構成部とを接続する状態と、第２のアンテナ構成部２１２と第２の延長用アンテナ構成部とを遮断する状態と、に第２のスイッチング素子の状態が切り替わる。
【００８６】
これによれば、第１の周波数と第２の周波数との比を、空気の誘電率と、生体の内部の液体の誘電率と、の比に対応する値と異なる比に変更できる。従って、リーダ装置１０とタグ装置２０との間の通信に用いられる周波数の自由度を高めることができる。
【００８７】
なお、リーダ装置１０は、図６に表されるように、応答信号を受信し、且つ、当該応答信号に含まれる第１の応答信号の強度が、当該応答信号に含まれる第２の応答信号の強度よりも小さい場合、第１の要求信号の送信と、応答信号に含まれる第１の応答信号の受信の待機と、を終了してもよい（図６のステップＳ１０３Ａ）。また、リーダ装置１０は、応答信号を受信し、且つ、当該応答信号に含まれる第２の応答信号の強度が、当該応答信号に含まれる第１の応答信号の強度よりも小さい場合、第２の要求信号の送信と、応答信号に含まれる第２の応答信号の受信の待機と、を終了してもよい。
【００８８】
これによれば、リーダ装置１０において、要求信号の送信と、応答信号の受信の待機と、を行なうために消費される電力の量を抑制できる。
【００８９】
＜第１実施形態の第１変形例＞
次に、第１実施形態の第１変形例の無線通信システムについて説明する。第１実施形態の第１変形例の無線通信システムは、第１実施形態の無線通信システムに対して、タグ装置が生体の内部に位置するか否かを検出し、検出の結果をリーダ装置に通知し、リーダ装置が検出の結果に基づいて、通信に用いられる周波数を制御する点において相違している。以下、相違点を中心として説明する。なお、第１実施形態の第１変形例の説明において、第１実施形態にて使用した符号と同じ符号を付したものは、同一又はほぼ同様のものである。
【００９０】
（構成：リーダ装置）
図７に表されるように、第１実施形態の第１変形例のリーダ装置１０Ｂは、制御回路１１０Ｂと、第１の送信回路１２１と、第２の送信回路１２２と、第１の送信アンテナ１３１と、第２の送信アンテナ１３２と、第１の受信アンテナ１４１と、第２の受信アンテナ１４２と、第１の受信回路１５１と、第２の受信回路１５２と、を備える。
【００９１】
本例では、第１の送信回路１２１、及び、第２の送信回路１２２は、送信部に対応する。本例では、第１の受信回路１５１、及び、第２の受信回路１５２は、受信部に対応する。本例では、制御回路１１０Ｂは、制御部に対応する。
【００９２】
第１の送信回路１２１、及び、第２の送信回路１２２は、第１実施形態の、第１の送信回路１２１、及び、第２の送信回路１２２とそれぞれ同様に構成される。
第１の受信回路１５１、及び、第２の受信回路１５２は、第１実施形態の、第１の受信回路１５１、及び、第２の受信回路１５２の動作に加えて、検出情報を表す検出信号を受信するようにそれぞれ構成される。検出情報は、後述するように、タグ装置２０Ｂのセンサ２２３Ｂによる検出の結果を表す情報である。
【００９３】
第１の受信回路１５１は、第１の受信アンテナ１４１を介して、搬送波が第１の周波数を有する検出信号（換言すると、第１の検出信号）を受信する。
第２の受信回路１５２は、第２の受信アンテナ１４２を介して、搬送波が第２の周波数を有する検出信号（換言すると、第２の検出信号）を受信する。
【００９４】
制御回路１１０Ｂは、第１の送信回路１２１に要求信号の送信を開始させるように、第１の送信回路１２１を制御する。更に、制御回路１１０Ｂは、第１の送信回路１２１に要求信号の送信を終了させるように、第１の送信回路１２１を制御する。制御回路１１０Ｂは、第１の送信回路１２１と同様に、第２の送信回路１２２を制御する。
【００９５】
制御回路１１０Ｂは、第１の受信回路１５１に検出信号及び応答信号の受信の待機を開始させるように、第１の受信回路１５１を制御する。更に、制御回路１１０Ｂは、第１の受信回路１５１に検出信号及び応答信号の受信の待機を終了させるように、第１の受信回路１５１を制御する。制御回路１１０Ｂは、第１の受信回路１５１と同様に、第２の受信回路１５２を制御する。
【００９６】
本例では、制御回路１１０Ｂは、第１の送信回路１２１及び第２の送信回路１２２に、同時に、要求信号の送信を開始させるとともに、第１の受信回路１５１及び第２の受信回路１５２に、同時に、検出信号及び応答信号の受信の待機を開始させる。本例では、制御回路１１０Ｂは、検出信号及び応答信号の受信の待機が、要求信号の送信の開始と略同時に開始するように第１の受信回路１５１及び第２の受信回路１５２を制御する。なお、検出信号及び応答信号の受信の待機は、要求信号の送信の開始から所定の遅延時間だけ経過した後に開始してもよい。
【００９７】
また、制御回路１１０Ｂは、第１の送信回路１２１による要求信号の送信と、第２の送信回路１２２による要求信号の送信と、が交互に行なわれるように、第１の送信回路１２１及び第２の送信回路１２２を制御してもよい。
【００９８】
この場合、制御回路１１０Ｂは、第１の送信回路１２１により要求信号の送信が行なわれている期間の少なくとも一部において、第１の受信回路１５１による検出信号及び応答信号の受信の待機を行なうように、第１の受信回路１５１を制御する。更に、この場合、制御回路１１０Ｂは、第２の送信回路１２２により要求信号の送信が行なわれている期間の少なくとも一部において、第２の受信回路１５２による検出信号及び応答信号の受信の待機を行なうように、第２の受信回路１５２を制御する。
【００９９】
更に、制御回路１１０Ｂは、第１の受信回路１５１により受信された、搬送波が第１の周波数を有する検出信号（換言すると、第１の検出信号）と、第２の受信回路１５２により受信された、搬送波が第２の周波数を有する検出信号（換言すると、第２の検出信号）と、のうちの強度が大きい方の検出信号のみに基づいて検出情報を取得する。なお、制御回路１１０Ｂは、第１の受信回路１５１により受信された第１の検出信号と、第２の受信回路１５２により受信された第２の検出信号と、の両方に基づいて検出情報を取得してもよい。
【０１００】
制御回路１１０Ｂは、取得された検出情報が表す検出の結果に基づいて、搬送波が第１の周波数を有する信号の、受信の待機及び送信と、搬送波が第２の周波数を有する信号の、受信の待機及び送信と、のうちの一方を終了する。
【０１０１】
本例では、制御回路１１０Ｂは、取得された検出情報が、タグ装置２０Ｂが生体の外部に位置することを表す場合、第２の要求信号の送信と、搬送波が第２の周波数を有する応答信号（換言すると、第２の応答信号）及び第２の検出信号の受信の待機と、を終了する。更に、本例では、制御回路１１０Ｂは、取得された検出情報が、タグ装置２０Ｂが生体の内部に位置することを表す場合、第１の要求信号の送信と、搬送波が第１の周波数を有する応答信号（換言すると、第１の応答信号）及び第１の検出信号の受信の待機と、を終了する。
【０１０２】
制御回路１１０Ｂは、第１の受信回路１５１又は第２の受信回路１５２により受信された応答信号に基づいて応答情報を取得する。
【０１０３】
（構成：タグ装置）
図８に表されるように、第１実施形態の第１変形例のタグ装置２０Ｂは、第１実施形態のタグ装置２０のＩＣ部２２０に代えて、ＩＣ部２２０Ｂを備える。ＩＣ部２２０Ｂは、スイッチング素子２２１と、変調回路２２２Ｂと、センサ２２３Ｂと、を備える。本例では、センサ２２３Ｂは、検出部に対応する。本例では、ＩＣ部２２０Ｂは、通知部に対応する。
スイッチング素子２２１は、第１実施形態のスイッチング素子２２１と同様に構成される。
【０１０４】
センサ２２３Ｂは、タグ装置２０Ｂが生体の内部に位置するか否かを検出する。本例では、センサ２２３Ｂは、温度を検出し、検出された温度が、予め定められた閾値（例えば、３０７Ｋ）以上である場合にタグ装置２０Ｂが生体の内部に位置することを検出し、一方、検出された温度が当該閾値よりも低い場合にタグ装置２０Ｂが生体の外部に位置することを検出する。
【０１０５】
なお、センサ２２３Ｂは、温度に加えて、又は、温度に代えて、温度と異なる物理量に基づいて、タグ装置２０Ｂが生体の内部に位置するか否かを検出してもよい。例えば、物理量は、照度、ｐＨ、又は、体内対象物の濃度等である。例えば、体内対象物は、消化液（例えば、唾液、胃液、腸液、又は、膵液等）、血液、又は、常在菌である。
【０１０６】
本例では、センサ２２３Ｂは、コンデンサに蓄電された電力を用いることにより動作する。なお、センサ２２３Ｂは、電池を備えるとともに、電池に蓄電された電力を用いることにより動作してもよい。
【０１０７】
変調回路２２２Ｂは、要求信号のうちの第１の信号構成部及び第２の信号構成部が受信されている期間における動作が、変調回路２２２と同じであるように構成されるとともに、要求信号のうちの第３の信号構成部が受信されている期間における動作が、変調回路２２２と異なるように構成される。
【０１０８】
変調回路２２２Ｂは、要求信号のうちの第３の信号構成部が受信されている期間の一部である第１の期間構成部において、コンデンサに蓄電された電力を用いることにより、センサ２２３Ｂによる検出の結果を表す情報（換言すると、検出情報）に基づいて、スイッチング素子２２１の状態を制御する。本例では、変調回路２２２Ｂは、検出情報を表す少なくとも１つのビットのそれぞれに対して、スイッチング素子２２１の状態を、当該ビットの値に関連付けられた状態に制御する。
【０１０９】
換言すると、本例では、タグ装置２０Ｂは、バックスキャッタ方式に従って、検出情報を表す検出信号を送信する。本例では、検出信号を送信することは、センサ２２３Ｂによる検出の結果をリーダ装置１０Ｂに通知することに対応する。
なお、ＩＣ部２２０Ｂは、ＡＭ方式と異なる変調方式に従って、検出情報に基づく変調を行なってもよい。
【０１１０】
変調回路２２２Ｂは、要求信号のうちの第３の信号構成部が受信されている期間のうちの、第１の期間構成部に後続する第２の期間構成部において、コンデンサに蓄電された電力を用いることにより、応答情報に基づいて、スイッチング素子２２１の状態を制御する。本例では、変調回路２２２Ｂは、応答情報を表す少なくとも１つのビットのそれぞれに対して、スイッチング素子２２１の状態を、当該ビットの値に関連付けられた状態に制御する。
【０１１１】
換言すると、本例では、タグ装置２０Ｂは、バックスキャッタ方式に従って、応答情報を表す応答信号を送信する。なお、ＩＣ部２２０Ｂは、ＡＭ方式と異なる変調方式に従って、応答情報に基づく変調を行なってもよい。
【０１１２】
（動作）
次に、第１実施形態の第１変形例の無線通信システム１の動作について、図９及び図１０を参照しながら説明する。
先ず、タグ装置２０Ｂが生体の外部に位置する場合を想定する。この場合、タグ装置２０Ｂのアンテナ２１０は、空気と接する。
【０１１３】
リーダ装置１０Ｂは、搬送波が第１の周波数を有する要求信号（換言すると、第１の要求信号）の送信と、搬送波が第２の周波数を有する要求信号（換言すると、第２の要求信号）の送信と、を開始するとともに、搬送波が第１の周波数を有する信号（換言すると、第１の検出信号及び第１の応答信号）の受信の待機と、搬送波が第２の周波数を有する信号（換言すると、第２の検出信号及び第２の応答信号）の受信の待機と、を開始する（図９のステップＳ２０１）。
【０１１４】
一方、タグ装置２０Ｂは、第１の要求信号と、第２の要求信号と、を受信する。上記仮定に従えば、アンテナ２１０が空気と接しているので、アンテナ２１０の共振周波数は、第１の周波数と略一致する。従って、アンテナ２１０により受信される第１の要求信号の強度は、アンテナ２１０により受信される第２の要求信号の強度よりも大きい。
【０１１５】
タグ装置２０Ｂは、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０１１６】
更に、タグ装置２０Ｂは、要求信号のうちの第２の信号構成部が受信されている期間の少なくとも一部において、コンデンサに蓄電された電力を用いることにより、第２の信号構成部を復調し、復調された信号に基づいて、特定情報を取得する。
【０１１７】
タグ装置２０Ｂは、センサ２２３Ｂを用いることにより、タグ装置２０Ｂが生体の内部に位置するか否かを検出する。上記仮定に従えば、タグ装置２０Ｂは、タグ装置２０Ｂが生体の内部に位置しない（換言すると、生体の外部に位置する）ことを検出する。（図９のステップＳ２０２１）。
【０１１８】
タグ装置２０Ｂは、要求信号のうちの第３の信号構成部が受信されている期間のうちの第１の期間構成部において、コンデンサに蓄電された電力を用いることにより、検出情報に基づいて、アンテナ２１０により受信された要求信号を変調し、且つ、変調された要求信号を検出信号として送信する（図９のステップＳ２０３）。このようにして、本例では、タグ装置２０Ｂは、バックスキャッタ方式に従って、検出情報を表す検出信号を送信する。
【０１１９】
本例では、アンテナ２１０により送信される検出信号は、搬送波が第１の周波数を有する第１の検出信号（換言すると、第１の成分）と、搬送波が第２の周波数を有する第２の検出信号（換言すると、第２の成分）と、を含む。上記仮定に従えば、アンテナ２１０の共振周波数が、第１の周波数と略一致するので、第１の検出信号の強度は、第２の検出信号の強度よりも大きい。
【０１２０】
一方、リーダ装置１０Ｂは、タグ装置２０Ｂにより送信された検出信号を受信する。リーダ装置１０Ｂは、受信された検出信号に含まれる、第１の検出信号及び第２の検出信号のうちの強度が大きい方のみに基づいて検出情報を取得する。従って、上記仮定に従えば、リーダ装置１０Ｂは、受信された検出信号に含まれる第１の検出信号及び第２の検出信号のうちの、第１の検出信号のみに基づいて検出情報を取得する。
【０１２１】
そして、リーダ装置１０Ｂは、取得された検出情報が表す検出の結果に基づいて、搬送波が第１の周波数を有する信号の、受信の待機及び送信と、搬送波が第２の周波数を有する信号の、受信の待機及び送信と、のうちの一方を終了する。上記仮定に従えば、検出の結果が、タグ装置２０Ｂが生体の外部に位置することを表すので、リーダ装置１０Ｂは、第２の要求信号の送信と、第２の検出信号及び第２の応答信号の受信の待機と、を終了する（図９のステップＳ２０４１）。
【０１２２】
次いで、タグ装置２０Ｂは、要求信号のうちの第３の信号構成部が受信されている期間のうちの第２の期間構成部において、コンデンサに蓄電された電力を用いることにより、応答情報に基づいて、アンテナ２１０により受信された要求信号を変調し、且つ、変調された要求信号を応答信号として送信する（図９のステップＳ２０５）。このようにして、本例では、タグ装置２０Ｂは、バックスキャッタ方式に従って、応答情報を表す応答信号を送信する。
【０１２３】
上記仮定に従えば、アンテナ２１０により送信される応答信号の搬送波は、第１の周波数を有する。換言すると、応答信号は、搬送波が第２の周波数を有する成分を含まない。
【０１２４】
一方、リーダ装置１０Ｂは、タグ装置２０Ｂにより送信された応答信号を受信する。上記仮定に従えば、リーダ装置１０Ｂは、第１の受信回路１５１により受信された第１の応答信号に基づいて応答情報を取得する。
【０１２５】
次に、タグ装置２０Ｂが生体の内部に位置する場合を想定する。この場合、タグ装置２０Ｂのアンテナ２１０は、生体の内部の液体（本例では、唾液）と接する。
【０１２６】
リーダ装置１０Ｂは、第１の要求信号の送信と、第２の要求信号の送信と、を開始するとともに、第１の検出信号及び第１の応答信号の受信の待機と、第２の検出信号及び第２の応答信号の受信の待機と、を開始する（図１０のステップＳ２０１）。
【０１２７】
一方、タグ装置２０Ｂは、第１の要求信号と、第２の要求信号と、を受信する。上記仮定に従えば、アンテナ２１０が生体の内部の液体と接しているので、アンテナ２１０の共振周波数は、第２の周波数と略一致する。従って、アンテナ２１０により受信される第２の要求信号の強度は、アンテナ２１０により受信される第１の要求信号の強度よりも大きい。
【０１２８】
タグ装置２０Ｂは、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０１２９】
更に、タグ装置２０Ｂは、要求信号のうちの第２の信号構成部が受信されている期間の少なくとも一部において、コンデンサに蓄電された電力を用いることにより、第２の信号構成部を復調し、復調された信号に基づいて、特定情報を取得する。
【０１３０】
タグ装置２０Ｂは、センサ２２３Ｂを用いることにより、タグ装置２０Ｂが生体の内部に位置するか否かを検出する。上記仮定に従えば、タグ装置２０Ｂは、タグ装置２０Ｂが生体の内部に位置することを検出する。（図１０のステップＳ２０２２）。
【０１３１】
タグ装置２０Ｂは、要求信号のうちの第３の信号構成部が受信されている期間のうちの第１の期間構成部において、コンデンサに蓄電された電力を用いることにより、検出情報に基づいて、アンテナ２１０により受信された要求信号を変調し、且つ、変調された要求信号を検出信号として送信する（図１０のステップＳ２０３）。このようにして、本例では、タグ装置２０Ｂは、バックスキャッタ方式に従って、検出情報を表す検出信号を送信する。
【０１３２】
本例では、アンテナ２１０により送信される検出信号は、搬送波が第１の周波数を有する第１の検出信号（換言すると、第１の成分）と、搬送波が第２の周波数を有する第２の検出信号（換言すると、第２の成分）と、を含む。上記仮定に従えば、アンテナ２１０の共振周波数が、第２の周波数と略一致するので、第２の検出信号の強度は、第１の検出信号の強度よりも大きい。
【０１３３】
一方、リーダ装置１０Ｂは、タグ装置２０Ｂにより送信された検出信号を受信する。リーダ装置１０Ｂは、受信された検出信号に含まれる、第１の検出信号及び第２の検出信号のうちの強度が大きい方のみに基づいて検出情報を取得する。従って、上記仮定に従えば、リーダ装置１０Ｂは、受信された検出信号に含まれる第１の検出信号及び第２の検出信号のうちの、第２の検出信号のみに基づいて検出情報を取得する。
【０１３４】
そして、リーダ装置１０Ｂは、取得された検出情報が表す検出の結果に基づいて、搬送波が第１の周波数を有する信号の、受信の待機及び送信と、搬送波が第２の周波数を有する信号の、受信の待機及び送信と、のうちの一方を終了する。上記仮定に従えば、検出の結果が、タグ装置２０Ｂが生体の内部に位置することを表すので、リーダ装置１０Ｂは、第１の要求信号の送信と、第１の検出信号及び第１の応答信号の受信の待機と、を終了する（図１０のステップＳ２０４２）。
【０１３５】
次いで、タグ装置２０Ｂは、要求信号のうちの第３の信号構成部が受信されている期間のうちの第２の期間構成部において、コンデンサに蓄電された電力を用いることにより、応答情報に基づいて、アンテナ２１０により受信された要求信号を変調し、且つ、変調された要求信号を応答信号として送信する（図１０のステップＳ２０５）。このようにして、本例では、タグ装置２０Ｂは、バックスキャッタ方式に従って、応答情報を表す応答信号を送信する。
【０１３６】
上記仮定に従えば、アンテナ２１０により送信される応答信号の搬送波は、第２の周波数を有する。換言すると、応答信号は、搬送波が第１の周波数を有する成分を含まない。
【０１３７】
一方、リーダ装置１０Ｂは、タグ装置２０Ｂにより送信された応答信号を受信する。上記仮定に従えば、リーダ装置１０Ｂは、第２の受信回路１５２により受信された第２の応答信号に基づいて応答情報を取得する。
【０１３８】
以上、説明したように、第１実施形態の第１変形例の無線通信システム１によれば、第１実施形態の無線通信システム１と同様の作用及び効果が奏される。
更に、第１実施形態の第１変形例の無線通信システム１において、リーダ装置１０Ｂは、タグ装置２０Ｂが生体の外部に位置する場合、リーダ装置１０Ｂにより送信される信号の搬送波が有する周波数を第１の周波数に制御し、一方、タグ装置２０Ｂが生体の内部に位置する場合、リーダ装置１０Ｂにより送信される信号の搬送波が有する周波数を第２の周波数に制御する。
【０１３９】
これによれば、タグ装置２０Ｂが生体の内部に位置する場合に、リーダ装置１０Ｂは、搬送波が第１の周波数を有する信号を送信することを抑制できる。また、タグ装置２０Ｂが生体の外部に位置する場合に、リーダ装置１０Ｂは、搬送波が第２の周波数を有する信号を送信することを抑制できる。従って、例えば、リーダ装置１０Ｂが、搬送波が第１の周波数を有する信号、及び、搬送波が第２の周波数を有する信号のそれぞれを送信する場合よりも、リーダ装置１０Ｂが消費する電力の量を抑制できる。
【０１４０】
なお、搬送波が第１の周波数を有する信号の、受信の待機及び送信と、搬送波が第２の周波数を有する信号の、受信の待機及び送信と、のうちの一方のみが所定の閾値時間以上に亘って継続した場合、リーダ装置１０Ｂは、搬送波が第１の周波数を有する信号の、受信の待機及び送信と、搬送波が第２の周波数を有する信号の、受信の待機及び送信と、のうちの他方を再開してもよい。
【０１４１】
これによれば、タグ装置２０Ｂが生体の内部と生体の外部との間で移動した場合であっても、リーダ装置１０Ｂは、タグ装置２０Ｂが有するアンテナ２１０を介して、タグ装置２０Ｂと通信できる。
【０１４２】
＜第２実施形態＞
次に、第２実施形態の無線通信システムについて説明する。第２実施形態の無線通信システムは、第１実施形態の無線通信システムに対して、タグ装置がアクティブ型である点において相違している。以下、相違点を中心として説明する。なお、第２実施形態の説明において、第１実施形態にて使用した符号と同じ符号を付したものは、同一又はほぼ同様のものである。
【０１４３】
（構成：リーダ装置）
図１１に表されるように、第２実施形態のリーダ装置１０Ｃは、制御回路１１０Ｃと、第１の受信アンテナ１４１と、第２の受信アンテナ１４２と、第１の受信回路１５１と、第２の受信回路１５２と、を備える。
【０１４４】
本例では、第１の受信回路１５１、及び、第２の受信回路１５２は、受信部に対応する。本例では、制御回路１１０Ｃは、制御部に対応する。
【０１４５】
第１の受信回路１５１は、第１の受信アンテナ１４１を介して、搬送波が第１の周波数を有する報知信号（換言すると、第１の報知信号）を受信する。本例では、報知信号は、報知情報を表す。報知情報は、後述するように、タグ装置２０Ｃが記憶している情報、及び、タグ装置２０Ｃが生成した情報、の少なくとも１つを含む。本例では、第１の周波数は、ＩＳＭバンドと呼ばれる複数の周波数帯のうちの第１の周波数帯に含まれる。本例では、第１の周波数は、５．８ＧＨｚ帯（例えば、５．７２５ＧＨｚ乃至５．８７５ＧＨｚ）に含まれる。
【０１４６】
第２の受信回路１５２は、第２の受信アンテナ１４２を介して、搬送波が第２の周波数を有する報知信号（換言すると、第２の報知信号）を受信する。第２の周波数は、第１の周波数よりも低い。本例では、第２の周波数は、第１の周波数の半分よりも低い。本例では、第２の周波数は、ＩＳＭバンドと呼ばれる複数の周波数帯のうちの、第１の周波数帯よりも低い第２の周波数帯に含まれる。本例では、第２の周波数は、２．４５ＧＨｚ帯（例えば、２．４ＧＨｚ乃至２．５ＧＨｚ）に含まれる。
【０１４７】
制御回路１１０Ｃは、第１の受信回路１５１に報知信号の受信の待機を開始させるように、第１の受信回路１５１を制御する。更に、制御回路１１０Ｃは、第１の受信回路１５１に報知信号の受信の待機を終了させるように、第１の受信回路１５１を制御する。制御回路１１０Ｃは、第１の受信回路１５１と同様に、第２の受信回路１５２を制御する。
本例では、制御回路１１０Ｃは、第１の受信回路１５１及び第２の受信回路１５２に、同時に、報知信号の受信の待機を開始させる。
【０１４８】
なお、制御回路１１０Ｃは、第１の受信回路１５１による報知信号の受信の待機と、第２の受信回路１５２による報知信号の受信の待機と、が交互に行なわれるように、第１の受信回路１５１及び第２の受信回路１５２を制御してもよい。
【０１４９】
更に、本例では、制御回路１１０Ｃは、第１の受信回路１５１により受信された第１の報知信号と、第２の受信回路１５２により受信された第２の報知信号と、のうちの強度が大きい方のみに基づいて報知情報を取得する。
【０１５０】
なお、制御回路１１０Ｃは、第１の受信回路１５１により受信された第１の報知信号の強度と、第２の受信回路１５２により受信された第２の報知信号の強度と、に基づいて、タグ装置２０Ｃが生体の外部から生体の内部へ導入されたことを検出してもよい。この場合、制御回路１１０Ｃは、第１の報知信号の強度が第２の報知信号の強度よりも大きい状態が、第２の報知信号の強度が第１の報知信号の強度よりも大きい状態に変化した場合に、タグ装置２０Ｃが生体の外部から生体の内部へ導入されたことを検出してよい。
【０１５１】
また、制御回路１１０Ｃは、第１の受信回路１５１により受信された第１の報知信号の強度と、第２の受信回路１５２により受信された第２の報知信号の強度と、に基づいて、タグ装置２０Ｃが生体の内部から生体の外部へ排出されたことを検出してもよい。この場合、制御回路１１０Ｃは、第２の報知信号の強度が第１の報知信号の強度よりも大きい状態が、第１の報知信号の強度が第２の報知信号の強度よりも大きい状態に変化した場合に、タグ装置２０Ｃが生体の内部から生体の外部へ排出されたことを検出してよい。
【０１５２】
（構成：タグ装置）
図１２に表されるように、第２実施形態のタグ装置２０Ｃは、アンテナ２１０と、ＩＣ部２２０Ｃと、を備える。本例では、ＩＣ部２２０Ｃは、送信部に対応する。
【０１５３】
アンテナ２１０は、第１実施形態のアンテナ２１０と同様に構成される。
ＩＣ部２２０Ｃは、第１のアンテナ構成部２１１及び第２のアンテナ構成部２１２に接続される。ＩＣ部２２０Ｃは、第１の送信回路２２４Ｃと、第２の送信回路２２５Ｃと、電池２２６Ｃと、を備える。本例では、タグ装置２０Ｃは、アクティブ型である。
【０１５４】
第１の送信回路２２４Ｃは、電池２２６Ｃに蓄電された電力を用いることにより、搬送波が第１の周波数を有する報知信号（換言すると、第１の報知信号）をアンテナ２１０を介して送信する。第１の送信回路２２４Ｃは、予め定められた第１の変調方式に従って変調された第１の報知信号を送信する。例えば、第１の変調方式は、ＡＭ方式、ＦＭ方式、又は、ＰＭ方式である。また、例えば、第１の変調方式は、ＡＭ方式、ＦＭ方式、及び、ＰＭ方式の少なくとも２つの組み合わせであってよい。
【０１５５】
第２の送信回路２２５Ｃは、電池２２６Ｃに蓄電された電力を用いることにより、搬送波が第２の周波数を有する報知信号（換言すると、第２の報知信号）をアンテナ２１０を介して送信する。第２の送信回路２２５Ｃは、予め定められた第２の変調方式に従って変調された第２の報知信号を送信する。例えば、第２の変調方式は、ＡＭ方式、ＦＭ方式、又は、ＰＭ方式である。また、例えば、第２の変調方式は、ＡＭ方式、ＦＭ方式、及び、ＰＭ方式の少なくとも２つの組み合わせであってよい。
【０１５６】
本例では、報知情報は、ＩＣ部２２０Ｃが予め記憶している情報を含む。例えば、報知情報は、タグ装置２０Ｃを識別する識別子を含んでよい。なお、タグ装置２０Ｃが物理量を検出するセンサを備える場合、報知情報は、ＩＣ部２２０Ｃが予め記憶している情報に代えて、又は、ＩＣ部２２０Ｃが予め記憶している情報に加えて、当該センサによって検出された物理量を表す情報を含んでもよい。例えば、物理量は、温度、湿度、照度、ｐＨ、加速度、角速度、圧力、又は、対象物の濃度等である。例えば、対象物は、消化液（例えば、唾液、胃液、腸液、又は、膵液等）、血液、常在菌、又は、感染性物質（例えば、細菌、又は、ウイルス等）である。
【０１５７】
なお、タグ装置２０Ｃは、電池２２６Ｃに代えて、又は、電池２２６Ｃに加えて、第１の送信回路２２４Ｃに接続された第１の電池と、第２の送信回路２２５Ｃに接続された第２の電池と、を備えていてもよい。
【０１５８】
（動作）
次に、無線通信システム１の動作について、図１３を参照しながら説明する。
先ず、タグ装置２０Ｃが生体の外部に位置する場合を想定する。この場合、タグ装置２０Ｃのアンテナ２１０は、空気と接する。
【０１５９】
リーダ装置１０Ｃは、搬送波が第１の周波数を有する報知信号（換言すると、第１の報知信号）の受信の待機と、搬送波が第２の周波数を有する報知信号（換言すると、第２の報知信号）の受信の待機と、を開始する（図１３のステップＳ３０１）。
【０１６０】
一方、タグ装置２０Ｃは、第１の報知信号の送信と、第２の報知信号の送信と、を開始する（図１３のステップＳ３０２）。
【０１６１】
アンテナ２１０により送信される報知信号は、搬送波が第１の周波数を有する第１の報知信号（換言すると、第１の成分）と、搬送波が第２の周波数を有する第２の報知信号（換言すると、第２の成分）と、を含む。上記仮定に従えば、アンテナ２１０が空気と接しているので、アンテナ２１０の共振周波数は、第１の周波数と略一致する。従って、アンテナ２１０により送信される第１の報知信号の強度は、アンテナ２１０により送信される第２の報知信号の強度よりも大きい。
【０１６２】
一方、リーダ装置１０Ｃは、タグ装置２０Ｃにより送信された報知信号を受信する。リーダ装置１０Ｃは、受信された報知信号に含まれる、第１の報知信号及び第２の報知信号のうちの強度が大きい方のみに基づいて報知情報を取得する。従って、上記仮定に従えば、リーダ装置１０Ｃは、受信された報知信号に含まれる第１の報知信号及び第２の報知信号のうちの、第１の報知信号のみに基づいて報知情報を取得する。
【０１６３】
次に、タグ装置２０Ｃが生体の内部に位置する場合を想定する。この場合、タグ装置２０Ｃのアンテナ２１０は、生体の内部の液体（本例では、唾液）と接する。
【０１６４】
この場合においても、上述した場合と同様に、リーダ装置１０Ｃは、第１の報知信号の受信の待機と、第２の報知信号の受信の待機と、を開始する。
一方、タグ装置２０Ｃは、第１の報知信号の送信と、第２の報知信号の送信と、を開始する。
【０１６５】
アンテナ２１０により送信される報知信号は、搬送波が第１の周波数を有する第１の報知信号（換言すると、第１の成分）と、搬送波が第２の周波数を有する第２の報知信号（換言すると、第２の成分）と、を含む。上記仮定に従えば、アンテナ２１０が生体の内部の液体と接しているので、アンテナ２１０の共振周波数は、第２の周波数と略一致する。従って、アンテナ２１０により送信される第２の報知信号の強度は、アンテナ２１０により送信される第１の報知信号の強度よりも大きい。
【０１６６】
一方、リーダ装置１０Ｃは、タグ装置２０Ｃにより送信された報知信号を受信する。リーダ装置１０Ｃは、受信された報知信号に含まれる、第１の報知信号及び第２の報知信号のうちの強度が大きい方のみに基づいて報知情報を取得する。従って、上記仮定に従えば、リーダ装置１０Ｃは、受信された報知信号に含まれる第１の報知信号及び第２の報知信号のうちの、第２の報知信号のみに基づいて報知情報を取得する。
【０１６７】
以上、説明したように、第２実施形態の無線通信システム１は、タグ装置２０Ｃが生体の外部に位置する場合、タグ装置２０Ｃとリーダ装置１０Ｃとの間のアンテナ２１０を介した通信に、第１の周波数を用いる。更に、無線通信システム１は、タグ装置２０Ｃが生体の内部に位置する場合、タグ装置２０Ｃとリーダ装置１０Ｃとの間のアンテナ２１０を介した通信に、第１の周波数よりも低い第２の周波数を用いる。
【０１６８】
これによれば、タグ装置２０Ｃが生体の内部及び外部のいずれに位置する場合であっても、リーダ装置１０Ｃは、タグ装置２０Ｃが有するアンテナ２１０を介して、タグ装置２０Ｃと通信できる。
【０１６９】
更に、第２実施形態のリーダ装置１０Ｃは、第１の周波数を有する信号を受信するとともに、第２の周波数を有する信号を受信する。
【０１７０】
これによれば、タグ装置２０Ｃが生体の外部に位置する場合、リーダ装置１０Ｃは、第１の周波数を有する信号を受信できる。また、タグ装置２０Ｃが生体の内部に位置する場合、リーダ装置１０Ｃは、第２の周波数を有する信号を受信できる。従って、タグ装置２０Ｃが生体の内部及び外部のいずれに位置する場合であっても、リーダ装置１０Ｃは、タグ装置２０Ｃが有するアンテナ２１０を介して、タグ装置２０Ｃと通信できる。
【０１７１】
更に、第２実施形態のタグ装置２０Ｃは、第１の周波数を有する信号をアンテナ２１０を介して送信するとともに、第２の周波数を有する信号をアンテナ２１０を介して送信する。
【０１７２】
これによれば、タグ装置２０Ｃが生体の外部に位置する場合、リーダ装置１０Ｃは、第１の周波数を有する信号を受信できる。また、タグ装置２０Ｃが生体の内部に位置する場合、リーダ装置１０Ｃは、第２の周波数を有する信号を受信できる。従って、タグ装置２０Ｃが生体の内部及び外部のいずれに位置する場合であっても、リーダ装置１０Ｃは、タグ装置２０Ｃが有するアンテナ２１０を介して、タグ装置２０Ｃと通信できる。
【０１７３】
なお、無線通信システム１は、第１の周波数として、２．４５ＧＨｚ帯（例えば、２．４ＧＨｚ乃至２．５ＧＨｚ）に含まれる周波数を用いるとともに、第２の周波数として、９００ＭＨｚ帯（例えば、９１５ＭＨｚ乃至９５５ＭＨｚ）に含まれる周波数を用いてもよい。
【０１７４】
また、無線通信システム１は、第１の周波数として、５．８ＧＨｚ帯（例えば、５．７２５ＧＨｚ乃至５．８７５ＧＨｚ）に含まれる周波数を用いるとともに、第２の周波数として、９００ＭＨｚ帯（例えば、９１５ＭＨｚ乃至９５５ＭＨｚ）に含まれる周波数を用いてもよい。
【０１７５】
また、無線通信システム１は、第１の周波数として、６０ＧＨｚ帯（例えば、５７ＧＨｚ乃至６６ＧＨｚ）に含まれる周波数を用いるとともに、第２の周波数として、５．８ＧＨｚ帯（例えば、５．７２５ＧＨｚ乃至５．８７５ＧＨｚ）に含まれる周波数を用いてもよい。
【０１７６】
また、無線通信システム１は、第１の周波数として、２４ＧＨｚ帯（例えば、２４ＧＨｚ乃至２４．２５ＧＨｚ）に含まれる周波数を用いるとともに、第２の周波数として、５．８ＧＨｚ帯（例えば、５．７２５ＧＨｚ乃至５．８７５ＧＨｚ）に含まれる周波数を用いてもよい。
【０１７７】
また、タグ装置２０Ｃは、アンテナ２１０の共振周波数を変更する変更部を備えていてもよい。例えば、変更部は、第１の延長用アンテナ構成部と、第２の延長用アンテナ構成部と、第１のスイッチング素子と、第２のスイッチング素子と、を備えていてもよい。
【０１７８】
第１の延長用アンテナ構成部は、第１のスイッチング素子を介して第１のアンテナ構成部２１１に接続される。第１のスイッチング素子は、第１のアンテナ構成部２１１と第１の延長用アンテナ構成部とを接続する状態と、第１のアンテナ構成部２１１と第１の延長用アンテナ構成部とを遮断する状態と、に第１のスイッチング素子の状態が切り替わる。
【０１７９】
第２の延長用アンテナ構成部は、第２のスイッチング素子を介して第２のアンテナ構成部２１２に接続される。第２のスイッチング素子は、第２のアンテナ構成部２１２と第２の延長用アンテナ構成部とを接続する状態と、第２のアンテナ構成部２１２と第２の延長用アンテナ構成部とを遮断する状態と、に第２のスイッチング素子の状態が切り替わる。
【０１８０】
これによれば、第１の周波数と第２の周波数との比を、空気の誘電率と、生体の内部の液体の誘電率と、の比に対応する値と異なる比に変更できる。従って、リーダ装置１０Ｃとタグ装置２０Ｃとの間の通信に用いられる周波数の自由度を高めることができる。
【０１８１】
なお、リーダ装置１０Ｃは、報知信号を受信し、且つ、当該報知信号に含まれる第１の報知信号の強度が、当該報知信号に含まれる第２の報知信号の強度よりも小さい場合、第１の報知信号の受信の待機を終了してもよい。また、リーダ装置１０Ｃは、報知信号を受信し、且つ、当該報知信号に含まれる第２の報知信号の強度が、当該報知信号に含まれる第１の報知信号の強度よりも小さい場合、第２の報知信号の受信の待機を終了してもよい。
【０１８２】
これによれば、リーダ装置１０Ｃにおいて、報知信号の受信の待機を行なうために消費される電力の量を抑制できる。
【０１８３】
なお、無線通信システム１は、リーダ装置１０Ｃが、第１の周波数の信号及び第２の周波数の信号の、受信の待機を開始する前に、タグ装置２０Ｃが、第１の周波数の信号及び第２の周波数の信号の送信を開始してもよい。
【０１８４】
＜第２実施形態の第１変形例＞
次に、第２実施形態の第１変形例の無線通信システムについて説明する。第２実施形態の第１変形例の無線通信システムは、第２実施形態の無線通信システムに対して、タグ装置が生体の内部に位置するか否かを検出し、検出の結果に基づいて、通信に用いられる周波数を制御する点において相違している。以下、相違点を中心として説明する。なお、第２実施形態の第１変形例の説明において、第２実施形態にて使用した符号と同じ符号を付したものは、同一又はほぼ同様のものである。
【０１８５】
（構成：タグ装置）
図１４に表されるように、第２実施形態の第１変形例のタグ装置２０Ｄは、第２実施形態のタグ装置２０ＣのＩＣ部２２０Ｃに代えて、ＩＣ部２２０Ｄを備える。ＩＣ部２２０Ｄは、第１の送信回路２２４Ｄと、第２の送信回路２２５Ｄと、電池２２６Ｄと、スイッチング素子２２７Ｄと、センサ２２８Ｄと、を備える。本例では、センサ２２８Ｄは、検出部に対応する。本例では、ＩＣ部２２０Ｄは、送信部に対応する。
【０１８６】
センサ２２８Ｄは、タグ装置２０Ｄが生体の内部に位置するか否かを検出する。本例では、センサ２２８Ｄは、温度を検出し、検出された温度が、予め定められた閾値（例えば、３０７Ｋ）以上である場合にタグ装置２０Ｄが生体の内部に位置することを検出し、一方、検出された温度が当該閾値よりも低い場合にタグ装置２０Ｄが生体の外部に位置することを検出する。
【０１８７】
なお、センサ２２８Ｄは、温度に加えて、又は、温度に代えて、温度と異なる物理量に基づいて、タグ装置２０Ｄが生体の内部に位置するか否かを検出してもよい。例えば、物理量は、照度、ｐＨ、又は、体内対象物の濃度等である。例えば、体内対象物は、消化液（例えば、唾液、胃液、腸液、又は、膵液等）、血液、又は、常在菌である。
本例では、センサ２２８Ｄは、電池２２６Ｄに蓄電された電力を用いることにより動作する。
【０１８８】
スイッチング素子２２７Ｄは、センサ２２８Ｄによる検出の結果に基づいて、第１の接続状態と、第２の接続状態と、の間で、スイッチング素子２２７Ｄの状態を切り替える。第１の接続状態は、スイッチング素子２２７Ｄが第１の送信回路２２４Ｄと電池２２６Ｄとを接続するとともに、スイッチング素子２２７Ｄが第２の送信回路２２５Ｄと電池２２６Ｄとを遮断する（換言すると、接続しない）状態である。第２の接続状態は、スイッチング素子２２７Ｄが第１の送信回路２２４Ｄと電池２２６Ｄとを遮断するとともに、スイッチング素子２２７Ｄが第２の送信回路２２５Ｄと電池２２６Ｄとを接続する状態である。
【０１８９】
センサ２２８Ｄによる検出の結果が、タグ装置２０Ｄが生体の外部に位置することを表す場合、スイッチング素子２２７Ｄは、スイッチング素子２２７Ｄの状態を第１の接続状態に切り替える。更に、センサ２２８Ｄによる検出の結果が、タグ装置２０Ｄが生体の内部に位置することを表す場合、スイッチング素子２２７Ｄは、スイッチング素子２２７Ｄの状態を第２の接続状態に切り替える。
本例では、スイッチング素子２２７Ｄは、電池２２６Ｄに蓄電された電力を用いることにより動作する。
【０１９０】
第１の送信回路２２４Ｄは、スイッチング素子２２７Ｄの状態が第１の接続状態である場合において、電池２２６Ｄに蓄電された電力を用いることにより、搬送波が第１の周波数を有する報知信号（換言すると、第１の報知信号）をアンテナ２１０を介して送信する。第１の送信回路２２４Ｄは、予め定められた第１の変調方式に従って変調された第１の報知信号を送信する。例えば、第１の変調方式は、ＡＭ方式、ＦＭ方式、又は、ＰＭ方式である。また、例えば、第１の変調方式は、ＡＭ方式、ＦＭ方式、及び、ＰＭ方式の少なくとも２つの組み合わせであってよい。
【０１９１】
第２の送信回路２２５Ｄは、スイッチング素子２２７Ｄの状態が第２の接続状態である場合において、電池２２６Ｄに蓄電された電力を用いることにより、搬送波が第２の周波数を有する報知信号（換言すると、第２の報知信号）をアンテナ２１０を介して送信する。第２の送信回路２２５Ｄは、予め定められた第２の変調方式に従って変調された第２の報知信号を送信する。例えば、第２の変調方式は、ＡＭ方式、ＦＭ方式、又は、ＰＭ方式である。また、例えば、第２の変調方式は、ＡＭ方式、ＦＭ方式、及び、ＰＭ方式の少なくとも２つの組み合わせであってよい。
【０１９２】
（動作）
次に、第２実施形態の第１変形例の無線通信システム１の動作について、図１５及び図１６を参照しながら説明する。
先ず、タグ装置２０Ｄが生体の外部に位置する場合を想定する。この場合、タグ装置２０Ｄのアンテナ２１０は、空気と接する。
【０１９３】
リーダ装置１０Ｃは、搬送波が第１の周波数を有する報知信号（換言すると、第１の報知信号）の受信の待機と、搬送波が第２の周波数を有する報知信号（換言すると、第２の報知信号）の受信の待機と、を開始する（図１５のステップＳ４０１）。
【０１９４】
一方、タグ装置２０Ｄは、センサ２２８Ｄを用いることにより、タグ装置２０Ｄが生体の内部に位置するか否かを検出する。上記仮定に従えば、タグ装置２０Ｄは、タグ装置２０Ｄが生体の内部に位置しない（換言すると、生体の外部に位置する）ことを検出する。（図１５のステップＳ４０２１）。
【０１９５】
従って、スイッチング素子２２７Ｄは、スイッチング素子２２７Ｄの状態を第１の接続状態に切り替える。これにより、タグ装置２０Ｄは、第１の報知信号の送信を開始する（図１５のステップＳ４０３１）。
【０１９６】
従って、アンテナ２１０により送信される報知信号の搬送波は、第１の周波数を有する。換言すると、報知信号は、搬送波が第２の周波数を有する成分を含まない。
【０１９７】
一方、リーダ装置１０Ｃは、タグ装置２０Ｄにより送信された報知信号を受信する。上記仮定に従えば、リーダ装置１０Ｃは、第１の受信回路１５１により受信された第１の報知信号に基づいて報知情報を取得する。
【０１９８】
次に、タグ装置２０Ｄが生体の内部に位置する場合を想定する。この場合、タグ装置２０Ｄのアンテナ２１０は、生体の内部の液体（本例では、唾液）と接する。
【０１９９】
リーダ装置１０Ｃは、第１の報知信号の受信の待機と、第２の報知信号の受信の待機と、を開始する（図１６のステップＳ４０１）。
【０２００】
一方、タグ装置２０Ｄは、センサ２２８Ｄを用いることにより、タグ装置２０Ｄが生体の内部に位置するか否かを検出する。上記仮定に従えば、タグ装置２０Ｄは、タグ装置２０Ｄが生体の内部に位置することを検出する。（図１６のステップＳ４０２２）。
【０２０１】
従って、スイッチング素子２２７Ｄは、スイッチング素子２２７Ｄの状態を第２の接続状態に切り替える。これにより、タグ装置２０Ｄは、第２の報知信号の送信を開始する（図１６のステップＳ４０３２）。
【０２０２】
従って、アンテナ２１０により送信される報知信号の搬送波は、第２の周波数を有する。換言すると、報知信号は、搬送波が第１の周波数を有する成分を含まない。
【０２０３】
一方、リーダ装置１０Ｃは、タグ装置２０Ｄにより送信された報知信号を受信する。上記仮定に従えば、リーダ装置１０Ｃは、第２の受信回路１５２により受信された第２の報知信号に基づいて報知情報を取得する。
【０２０４】
以上、説明したように、第２実施形態の第１変形例の無線通信システム１によれば、第２実施形態の無線通信システム１と同様の作用及び効果が奏される。
更に、第２実施形態の第１変形例の無線通信システム１において、タグ装置２０Ｄは、タグ装置２０Ｄが生体の外部に位置すると検出された場合、タグ装置２０Ｄにより送信される信号の搬送波が有する周波数を第１の周波数に制御し、一方、タグ装置２０Ｄが生体の内部に位置すると検出された場合、タグ装置２０Ｄにより送信される信号の搬送波が有する周波数を第２の周波数に制御する。
【０２０５】
これによれば、タグ装置２０Ｄが生体の内部に位置する場合に、タグ装置２０Ｄが第１の周波数を有する信号を送信することを抑制できる。また、タグ装置２０Ｄが生体の外部に位置する場合に、タグ装置２０Ｄが第２の周波数を有する信号を送信することを抑制できる。従って、例えば、タグ装置２０Ｄが、第１の周波数を有する信号、及び、第２の周波数を有する信号のそれぞれを送信する場合よりも、タグ装置２０Ｄが消費する電力の量を抑制できる。
【０２０６】
なお、搬送波が第１の周波数を有する信号の送信と、搬送波が第２の周波数を有する信号の送信と、のうちの一方のみが所定の閾値時間以上に亘って継続した場合、タグ装置２０Ｄは、タグ装置２０Ｄが生体の内部に位置するか否かの検出と、検出の結果に基づく周波数の制御と、を再び実行してもよい。
【０２０７】
これによれば、タグ装置２０Ｄが生体の内部と生体の外部との間で移動した場合であっても、リーダ装置１０Ｃは、タグ装置２０Ｄが有するアンテナ２１０を介して、タグ装置２０Ｄと通信できる。
【０２０８】
なお、無線通信システム１は、リーダ装置１０Ｃが、第１の周波数の信号及び第２の周波数の信号の、受信の待機を開始する前に、タグ装置２０Ｄが、生体の内部に位置するか否かの検出、及び、第１の周波数の信号又は第２の周波数の信号の送信を開始してもよい。
【０２０９】
＜第３実施形態＞
次に、第３実施形態の無線通信システムについて説明する。第３実施形態の無線通信システムは、第１実施形態の無線通信システムに対して、タグ装置がセミアクティブ型である点において相違している。以下、相違点を中心として説明する。なお、第３実施形態の説明において、第１実施形態にて使用した符号と同じ符号を付したものは、同一又はほぼ同様のものである。
【０２１０】
（構成：リーダ装置）
図１７に表されるように、第３実施形態のリーダ装置１０Ｅは、制御回路１１０Ｅと、第１の送信回路１２１と、第２の送信回路１２２と、第１の送信アンテナ１３１と、第２の送信アンテナ１３２と、第１の受信アンテナ１４１と、第２の受信アンテナ１４２と、第１の受信回路１５１と、第２の受信回路１５２と、を備える。
【０２１１】
本例では、第１の送信回路１２１、及び、第２の送信回路１２２は、送信部に対応する。本例では、第１の受信回路１５１、及び、第２の受信回路１５２は、受信部に対応する。本例では、制御回路１１０Ｅは、制御部に対応する。
【０２１２】
第１の送信回路１２１は、第１の送信アンテナ１３１を介して、搬送波が第１の周波数を有する要求信号（換言すると、第１の要求信号）を送信する。本例では、第１の周波数は、ＩＳＭバンドと呼ばれる複数の周波数帯のうちの第１の周波数帯に含まれる。本例では、第１の周波数は、５．８ＧＨｚ帯（例えば、５．７２５ＧＨｚ乃至５．８７５ＧＨｚ）に含まれる。本例では、要求信号は、後述するタグ装置２０Ｅに情報の送信を要求する信号である。本例では、要求信号は、時間軸において連続する、第１の信号構成部、及び、第２の信号構成部、を含む。
【０２１３】
第１の信号構成部は、無変調波（換言すると、搬送波）である。第２の信号構成部は、変調波（換言すると、搬送波が変調された電波）である。例えば、第２の信号構成部は、特定情報を表す。特定情報は、タグ装置２０Ｅに送信を要求する情報を特定する。
本例では、第１の信号構成部、及び、第２の信号構成部は、予め定められた、第１の時間長、及び、第２の時間長をそれぞれ有する。
【０２１４】
第２の送信回路１２２は、第２の送信アンテナ１３２を介して、搬送波が第２の周波数を有する要求信号（換言すると、第２の要求信号）を送信する。第２の周波数は、第１の周波数よりも低い。本例では、第２の周波数は、第１の周波数の半分よりも低い。本例では、第２の周波数は、ＩＳＭバンドと呼ばれる複数の周波数帯のうちの、第１の周波数帯よりも低い第２の周波数帯に含まれる。本例では、第２の周波数は、２．４５ＧＨｚ帯（例えば、２．４ＧＨｚ乃至２．５ＧＨｚ）に含まれる。
【０２１５】
第１の受信回路１５１は、第１の受信アンテナ１４１を介して、搬送波が第１の周波数を有する応答信号（換言すると、第１の応答信号）を受信する。本例では、応答信号は、応答情報を表す。応答情報は、後述するように、タグ装置２０Ｅが記憶している情報、及び、タグ装置２０Ｅが生成した情報、の少なくとも１つを含む。
【０２１６】
第２の受信回路１５２は、第２の受信アンテナ１４２を介して、搬送波が第２の周波数を有する応答信号（換言すると、第２の応答信号）を受信する。
【０２１７】
制御回路１１０Ｅは、第１の送信回路１２１に要求信号の送信を開始させるように、第１の送信回路１２１を制御する。更に、制御回路１１０Ｅは、第１の送信回路１２１に要求信号の送信を終了させるように、第１の送信回路１２１を制御する。制御回路１１０Ｅは、第１の送信回路１２１と同様に、第２の送信回路１２２を制御する。
【０２１８】
制御回路１１０Ｅは、第１の受信回路１５１に応答信号の受信の待機を開始させるように、第１の受信回路１５１を制御する。更に、制御回路１１０Ｅは、第１の受信回路１５１に応答信号の受信の待機を終了させるように、第１の受信回路１５１を制御する。制御回路１１０Ｅは、第１の受信回路１５１と同様に、第２の受信回路１５２を制御する。
【０２１９】
本例では、制御回路１１０Ｅは、第１の送信回路１２１及び第２の送信回路１２２に、同時に、要求信号の送信を開始させる。その後、制御回路１１０Ｅは、第１の送信回路１２１及び第２の送信回路１２２に、同時に、要求信号の送信を終了させる。その後、制御回路１１０Ｅは、第１の受信回路１５１及び第２の受信回路１５２に、同時に、応答信号の受信の待機を開始させる。なお、制御回路１１０Ｅは、応答信号の受信の待機が、要求信号の送信の終了と略同時に開始するように第１の受信回路１５１及び第２の受信回路１５２を制御してもよい。
【０２２０】
また、制御回路１１０Ｅは、第１の送信回路１２１による要求信号の送信と、第２の送信回路１２２による要求信号の送信と、が交互に行なわれるように、第１の送信回路１２１及び第２の送信回路１２２を制御してもよい。
【０２２１】
また、制御回路１１０Ｅは、第１の受信回路１５１による応答信号の受信の待機と、第２の受信回路１５２による応答信号の受信の待機と、が交互に行なわれるように、第１の受信回路１５１及び第２の受信回路１５２を制御してもよい。
【０２２２】
更に、本例では、制御回路１１０Ｅは、第１の受信回路１５１により受信された第１の応答信号と、第２の受信回路１５２により受信された第２の応答信号と、のうちの強度が大きい方のみに基づいて応答情報を取得する。
【０２２３】
なお、制御回路１１０Ｅは、第１の受信回路１５１により受信された第１の応答信号の強度と、第２の受信回路１５２により受信された第２の応答信号の強度と、に基づいて、タグ装置２０Ｅが生体の外部から生体の内部へ導入されたことを検出してもよい。この場合、制御回路１１０Ｅは、第１の応答信号の強度が第２の応答信号の強度よりも大きい状態が、第２の応答信号の強度が第１の応答信号の強度よりも大きい状態に変化した場合に、タグ装置２０Ｅが生体の外部から生体の内部へ導入されたことを検出してよい。
【０２２４】
また、制御回路１１０Ｅは、第１の受信回路１５１により受信された第１の応答信号の強度と、第２の受信回路１５２により受信された第２の応答信号の強度と、に基づいて、タグ装置２０Ｅが生体の内部から生体の外部へ排出されたことを検出してもよい。この場合、制御回路１１０Ｅは、第２の応答信号の強度が第１の応答信号の強度よりも大きい状態が、第１の応答信号の強度が第２の応答信号の強度よりも大きい状態に変化した場合に、タグ装置２０Ｅが生体の内部から生体の外部へ排出されたことを検出してよい。
【０２２５】
（構成：タグ装置）
図１８に表されるように、第３実施形態のタグ装置２０Ｅは、アンテナ２１０と、ＩＣ部２２０Ｅと、を備える。本例では、ＩＣ部２２０Ｅは、送信部に対応する。
【０２２６】
アンテナ２１０は、第１実施形態のアンテナ２１０と同様に構成される。
ＩＣ部２２０Ｅは、第１のアンテナ構成部２１１及び第２のアンテナ構成部２１２に接続される。ＩＣ部２２０Ｅは、第１の送信回路２２４Ｅと、第２の送信回路２２５Ｅと、電池２２６Ｅと、を備える。本例では、タグ装置２０Ｅは、セミアクティブ型である。
【０２２７】
本例では、ＩＣ部２２０Ｅは、図示されない整流器及びコンデンサを備えるとともに、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０２２８】
更に、ＩＣ部２２０Ｅは、要求信号のうちの第２の信号構成部が受信されている期間の少なくとも一部において、コンデンサに蓄電された電力を用いることにより、第２の信号構成部を復調する。ＩＣ部２２０Ｅは、復調された信号に基づいて、特定情報を取得する。
【０２２９】
なお、ＩＣ部２２０Ｅは、図示されない整流器及びコンデンサを用いることなく、要求信号のうちの第２の信号構成部が受信されている期間の少なくとも一部において、電池２２６Ｅに蓄電された電力を用いることにより、第２の信号構成部を復調してもよい。この場合、要求信号は、第１の信号構成部を含まなくてもよい。
【０２３０】
第１の送信回路２２４Ｅは、電池２２６Ｅに蓄電された電力を用いることにより、搬送波が第１の周波数を有する応答信号（換言すると、第１の応答信号）をアンテナ２１０を介して送信する。第１の送信回路２２４Ｅは、予め定められた第１の変調方式に従って変調された第１の応答信号を送信する。例えば、第１の変調方式は、ＡＭ方式、ＦＭ方式、又は、ＰＭ方式である。また、例えば、第１の変調方式は、ＡＭ方式、ＦＭ方式、及び、ＰＭ方式の少なくとも２つの組み合わせであってよい。
【０２３１】
第２の送信回路２２５Ｅは、電池２２６Ｅに蓄電された電力を用いることにより、搬送波が第２の周波数を有する応答信号（換言すると、第２の応答信号）をアンテナ２１０を介して送信する。第２の送信回路２２５Ｅは、予め定められた第２の変調方式に従って変調された第２の応答信号を送信する。例えば、第２の変調方式は、ＡＭ方式、ＦＭ方式、又は、ＰＭ方式である。また、例えば、第２の変調方式は、ＡＭ方式、ＦＭ方式、及び、ＰＭ方式の少なくとも２つの組み合わせであってよい。
【０２３２】
本例では、応答情報は、ＩＣ部２２０Ｅが予め記憶している情報を含む。例えば、応答情報は、タグ装置２０Ｅを識別する識別子を含んでよい。なお、タグ装置２０Ｅが物理量を検出するセンサを備える場合、応答情報は、ＩＣ部２２０Ｅが予め記憶している情報に代えて、又は、ＩＣ部２２０Ｅが予め記憶している情報に加えて、当該センサによって検出された物理量を表す情報を含んでもよい。例えば、物理量は、温度、湿度、照度、ｐＨ、加速度、角速度、圧力、又は、対象物の濃度等である。例えば、対象物は、消化液（例えば、唾液、胃液、腸液、又は、膵液等）、血液、常在菌、又は、感染性物質（例えば、細菌、又は、ウイルス等）である。
【０２３３】
なお、タグ装置２０Ｅは、電池２２６Ｅに代えて、又は、電池２２６Ｅに加えて、第１の送信回路２２４Ｅに接続された第１の電池と、第２の送信回路２２５Ｅに接続された第２の電池と、を備えていてもよい。
【０２３４】
（動作）
次に、第３実施形態の無線通信システム１の動作について、図１９を参照しながら説明する。
先ず、タグ装置２０Ｅが生体の外部に位置する場合を想定する。この場合、タグ装置２０Ｅのアンテナ２１０は、空気と接する。
【０２３５】
リーダ装置１０Ｅは、搬送波が第１の周波数を有する要求信号（換言すると、第１の要求信号）の送信と、搬送波が第２の周波数を有する要求信号（換言すると、第２の要求信号）の送信と、を開始する（図１９のステップＳ５０１）。
【０２３６】
一方、タグ装置２０Ｅは、第１の要求信号と、第２の要求信号と、を受信する。上記仮定に従えば、アンテナ２１０が空気と接しているので、アンテナ２１０の共振周波数は、第１の周波数と略一致する。従って、アンテナ２１０により受信される第１の要求信号の強度は、アンテナ２１０により受信される第２の要求信号の強度よりも大きい。
【０２３７】
タグ装置２０Ｅは、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０２３８】
更に、タグ装置２０Ｅは、要求信号のうちの第２の信号構成部が受信されている期間の少なくとも一部において、コンデンサに蓄電された電力を用いることにより、第２の信号構成部を復調し、復調された信号に基づいて、特定情報を取得する。
【０２３９】
一方、リーダ装置１０Ｅは、第１の要求信号の送信と、第２の要求信号の送信と、を終了する（図１９のステップＳ５０２）。
そして、リーダ装置１０Ｅは、搬送波が第１の周波数を有する応答信号（換言すると、第１の応答信号）の受信の待機と、搬送波が第２の周波数を有する応答信号（換言すると、第２の応答信号）の受信の待機と、を開始する（図１９のステップＳ５０３）。
【０２４０】
一方、タグ装置２０Ｅは、第１の応答信号の送信と、第２の応答信号の送信と、を開始する（図１９のステップＳ５０４）。
【０２４１】
アンテナ２１０により送信される応答信号は、搬送波が第１の周波数を有する第１の応答信号（換言すると、第１の成分）と、搬送波が第２の周波数を有する第２の応答信号（第２の成分）と、を含む。上記仮定に従えば、アンテナ２１０が空気と接しているので、アンテナ２１０の共振周波数は、第１の周波数と略一致する。従って、アンテナ２１０により送信される第１の応答信号の強度は、アンテナ２１０により送信される第２の応答信号の強度よりも大きい。
【０２４２】
一方、リーダ装置１０Ｅは、タグ装置２０Ｅにより送信された応答信号を受信する。リーダ装置１０Ｅは、受信された応答信号に含まれる、第１の応答信号及び第２の応答信号のうちの強度が大きい方のみに基づいて応答情報を取得する。従って、上記仮定に従えば、リーダ装置１０Ｅは、受信された応答信号に含まれる第１の応答信号及び第２の応答信号のうちの、第１の応答信号のみに基づいて応答情報を取得する。
【０２４３】
次に、タグ装置２０Ｅが生体の内部に位置する場合を想定する。この場合、タグ装置２０Ｅのアンテナ２１０は、生体の内部の液体（本例では、唾液）と接する。
【０２４４】
この場合においても、上述した場合と同様に、リーダ装置１０Ｅは、第１の要求信号の送信と、第２の要求信号の送信と、を開始する。
【０２４５】
一方、タグ装置２０Ｅは、第１の要求信号と、第２の要求信号と、を受信する。上記仮定に従えば、アンテナ２１０が生体の内部の液体と接しているので、アンテナ２１０の共振周波数は、第２の周波数と略一致する。従って、アンテナ２１０により受信される第２の要求信号の強度は、アンテナ２１０により受信される第１の要求信号の強度よりも大きい。
【０２４６】
タグ装置２０Ｅは、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０２４７】
更に、タグ装置２０Ｅは、要求信号のうちの第２の信号構成部が受信されている期間の少なくとも一部において、コンデンサに蓄電された電力を用いることにより、第２の信号構成部を復調し、復調された信号に基づいて、特定情報を取得する。
【０２４８】
一方、リーダ装置１０Ｅは、第１の要求信号の送信と、第２の要求信号の送信と、を終了する。そして、リーダ装置１０Ｅは、第１の応答信号の受信の待機と、第２の応答信号の受信の待機と、を開始する。
また、タグ装置２０Ｅは、第１の応答信号の送信と、第２の応答信号の送信と、を開始する。
【０２４９】
アンテナ２１０により送信される応答信号は、搬送波が第１の周波数を有する第１の応答信号（換言すると、第１の成分）と、搬送波が第２の周波数を有する第２の応答信号（換言すると、第２の成分）と、を含む。上記仮定に従えば、アンテナ２１０が生体の内部の液体と接しているので、アンテナ２１０の共振周波数は、第２の周波数と略一致する。従って、アンテナ２１０により送信される第２の応答信号の強度は、アンテナ２１０により送信される第１の応答信号の強度よりも大きい。
【０２５０】
一方、リーダ装置１０Ｅは、タグ装置２０Ｅにより送信された応答信号を受信する。リーダ装置１０Ｅは、受信された応答信号に含まれる、第１の応答信号及び第２の応答信号のうちの強度が大きい方のみに基づいて応答情報を取得する。従って、上記仮定に従えば、リーダ装置１０Ｅは、受信された応答信号に含まれる第１の応答信号及び第２の応答信号のうちの、第２の応答信号のみに基づいて応答情報を取得する。
【０２５１】
以上、説明したように、第３実施形態の無線通信システム１は、タグ装置２０Ｅが生体の外部に位置する場合、タグ装置２０Ｅとリーダ装置１０Ｅとの間のアンテナ２１０を介した通信に、第１の周波数を用いる。更に、無線通信システム１は、タグ装置２０Ｅが生体の内部に位置する場合、タグ装置２０Ｅとリーダ装置１０Ｅとの間のアンテナ２１０を介した通信に、第１の周波数よりも低い第２の周波数を用いる。
【０２５２】
これによれば、タグ装置２０Ｅが生体の内部及び外部のいずれに位置する場合であっても、リーダ装置１０Ｅは、タグ装置２０Ｅが有するアンテナ２１０を介して、タグ装置２０Ｅと通信できる。
【０２５３】
更に、第３実施形態のリーダ装置１０Ｅは、第１の周波数を有する信号を受信するとともに、第２の周波数を有する信号を受信する。
【０２５４】
これによれば、タグ装置２０Ｅが生体の外部に位置する場合、リーダ装置１０Ｅは、第１の周波数を有する信号を受信できる。また、タグ装置２０Ｅが生体の内部に位置する場合、リーダ装置１０Ｅは、第２の周波数を有する信号を受信できる。従って、タグ装置２０Ｅが生体の内部及び外部のいずれに位置する場合であっても、リーダ装置１０Ｅは、タグ装置２０Ｅが有するアンテナ２１０を介して、タグ装置２０Ｅと通信できる。
【０２５５】
更に、第３実施形態のタグ装置２０Ｅは、第１の周波数を有する信号をアンテナ２１０を介して送信するとともに、第２の周波数を有する信号をアンテナ２１０を介して送信する。
【０２５６】
これによれば、タグ装置２０Ｅが生体の外部に位置する場合、リーダ装置１０Ｅは、第１の周波数を有する信号を受信できる。また、タグ装置２０Ｅが生体の内部に位置する場合、リーダ装置１０Ｅは、第２の周波数を有する信号を受信できる。従って、タグ装置２０Ｅが生体の内部及び外部のいずれに位置する場合であっても、リーダ装置１０Ｅは、タグ装置２０Ｅが有するアンテナ２１０を介して、タグ装置２０Ｅと通信できる。
【０２５７】
更に、第３実施形態のリーダ装置１０Ｅは、第１の周波数を有する信号を送信するとともに、第２の周波数を有する信号を送信する。
【０２５８】
これによれば、タグ装置２０Ｅが生体の外部に位置する場合、タグ装置２０Ｅは、第１の周波数を有する信号を受信できる。また、タグ装置２０Ｅが生体の内部に位置する場合、タグ装置２０Ｅは、第２の周波数を有する信号を受信できる。従って、タグ装置２０Ｅが生体の内部及び外部のいずれに位置する場合であっても、タグ装置２０Ｅは、タグ装置２０Ｅが有するアンテナ２１０を介して、リーダ装置１０Ｅと通信できる。
【０２５９】
なお、無線通信システム１は、第１の周波数として、２．４５ＧＨｚ帯（例えば、２．４ＧＨｚ乃至２．５ＧＨｚ）に含まれる周波数を用いるとともに、第２の周波数として、９００ＭＨｚ帯（例えば、９１５ＭＨｚ乃至９５５ＭＨｚ）に含まれる周波数を用いてもよい。
【０２６０】
また、無線通信システム１は、第１の周波数として、５．８ＧＨｚ帯（例えば、５．７２５ＧＨｚ乃至５．８７５ＧＨｚ）に含まれる周波数を用いるとともに、第２の周波数として、９００ＭＨｚ帯（例えば、９１５ＭＨｚ乃至９５５ＭＨｚ）に含まれる周波数を用いてもよい。
【０２６１】
また、無線通信システム１は、第１の周波数として、６０ＧＨｚ帯（例えば、５７ＧＨｚ乃至６６ＧＨｚ）に含まれる周波数を用いるとともに、第２の周波数として、５．８ＧＨｚ帯（例えば、５．７２５ＧＨｚ乃至５．８７５ＧＨｚ）に含まれる周波数を用いてもよい。
【０２６２】
また、無線通信システム１は、第１の周波数として、２４ＧＨｚ帯（例えば、２４ＧＨｚ乃至２４．２５ＧＨｚ）に含まれる周波数を用いるとともに、第２の周波数として、５．８ＧＨｚ帯（例えば、５．７２５ＧＨｚ乃至５．８７５ＧＨｚ）に含まれる周波数を用いてもよい。
【０２６３】
また、タグ装置２０Ｅは、アンテナ２１０の共振周波数を変更する変更部を備えていてもよい。例えば、変更部は、第１の延長用アンテナ構成部と、第２の延長用アンテナ構成部と、第１のスイッチング素子と、第２のスイッチング素子と、を備えていてもよい。
【０２６４】
第１の延長用アンテナ構成部は、第１のスイッチング素子を介して第１のアンテナ構成部２１１に接続される。第１のスイッチング素子は、第１のアンテナ構成部２１１と第１の延長用アンテナ構成部とを接続する状態と、第１のアンテナ構成部２１１と第１の延長用アンテナ構成部とを遮断する状態と、に第１のスイッチング素子の状態が切り替わる。
【０２６５】
第２の延長用アンテナ構成部は、第２のスイッチング素子を介して第２のアンテナ構成部２１２に接続される。第２のスイッチング素子は、第２のアンテナ構成部２１２と第２の延長用アンテナ構成部とを接続する状態と、第２のアンテナ構成部２１２と第２の延長用アンテナ構成部とを遮断する状態と、に第２のスイッチング素子の状態が切り替わる。
【０２６６】
これによれば、第１の周波数と第２の周波数との比を、空気の誘電率と、生体の内部の液体の誘電率と、の比に対応する値と異なる比に変更できる。従って、リーダ装置１０Ｅとタグ装置２０Ｅとの間の通信に用いられる周波数の自由度を高めることができる。
【０２６７】
なお、リーダ装置１０Ｅは、応答信号を受信し、且つ、当該応答信号に含まれる第１の応答信号の強度が、当該応答信号に含まれる第２の応答信号の強度よりも小さい場合、第１の応答信号の受信の待機を終了してもよい。また、リーダ装置１０Ｅは、応答信号を受信し、且つ、当該応答信号に含まれる第２の応答信号の強度が、当該応答信号に含まれる第１の応答信号の強度よりも小さい場合、第２の応答信号の受信の待機を終了してもよい。
【０２６８】
これによれば、リーダ装置１０Ｅにおいて、応答信号の受信の待機を行なうために消費される電力の量を抑制できる。
【０２６９】
なお、無線通信システム１は、リーダ装置１０Ｅが、第１の周波数の信号及び第２の周波数の信号の、受信の待機を開始する前に、タグ装置２０Ｅが、第１の周波数の信号及び第２の周波数の信号の送信を開始してもよい。
【０２７０】
＜第３実施形態の第１変形例＞
次に、第３実施形態の第１変形例の無線通信システムについて説明する。第３実施形態の第１変形例の無線通信システムは、第３実施形態の無線通信システムに対して、タグ装置が生体の内部に位置するか否かを検出し、検出の結果に基づいて、通信に用いられる周波数を制御する点において相違している。以下、相違点を中心として説明する。なお、第３実施形態の第１変形例の説明において、第３実施形態にて使用した符号と同じ符号を付したものは、同一又はほぼ同様のものである。
【０２７１】
（構成：タグ装置）
図２０に表されるように、第３実施形態の第１変形例のタグ装置２０Ｆは、第３実施形態のタグ装置２０ＥのＩＣ部２２０Ｅに代えて、ＩＣ部２２０Ｆを備える。ＩＣ部２２０Ｆは、第１の送信回路２２４Ｆと、第２の送信回路２２５Ｆと、電池２２６Ｆと、スイッチング素子２２７Ｆと、センサ２２８Ｆと、を備える。本例では、センサ２２８Ｆは、検出部に対応する。本例では、ＩＣ部２２０Ｆは、送信部に対応する。
【０２７２】
本例では、ＩＣ部２２０Ｆは、図示されない整流器及びコンデンサを備えるとともに、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０２７３】
更に、ＩＣ部２２０Ｆは、要求信号のうちの第２の信号構成部が受信されている期間の少なくとも一部において、コンデンサに蓄電された電力を用いることにより、第２の信号構成部を復調する。ＩＣ部２２０Ｆは、復調された信号に基づいて、特定情報を取得する。
【０２７４】
なお、ＩＣ部２２０Ｆは、図示されない整流器及びコンデンサを用いることなく、要求信号のうちの第２の信号構成部が受信されている期間の少なくとも一部において、電池２２６Ｆに蓄電された電力を用いることにより、第２の信号構成部を復調してもよい。この場合、要求信号は、第１の信号構成部を含まなくてもよい。
【０２７５】
センサ２２８Ｆは、タグ装置２０Ｆが生体の内部に位置するか否かを検出する。本例では、センサ２２８Ｆは、温度を検出し、検出された温度が、予め定められた閾値（例えば、３０７Ｋ）以上である場合にタグ装置２０Ｆが生体の内部に位置することを検出し、一方、検出された温度が当該閾値よりも低い場合にタグ装置２０Ｆが生体の外部に位置することを検出する。
【０２７６】
なお、センサ２２８Ｆは、温度に加えて、又は、温度に代えて、温度と異なる物理量に基づいて、タグ装置２０Ｆが生体の内部に位置するか否かを検出してもよい。例えば、物理量は、照度、ｐＨ、又は、体内対象物の濃度等である。例えば、体内対象物は、消化液（例えば、唾液、胃液、腸液、又は、膵液等）、血液、又は、常在菌である。
本例では、センサ２２８Ｆは、コンデンサに蓄電された電力を用いることにより動作する。なお、センサ２２８Ｆは、電池２２６Ｆに蓄電された電力を用いることにより動作してもよい。
【０２７７】
スイッチング素子２２７Ｆは、センサ２２８Ｆによる検出の結果に基づいて、第１の接続状態と、第２の接続状態と、の間で、スイッチング素子２２７Ｆの状態を切り替える。第１の接続状態は、スイッチング素子２２７Ｆが第１の送信回路２２４Ｆと電池２２６Ｆとを接続するとともに、スイッチング素子２２７Ｆが第２の送信回路２２５Ｆと電池２２６Ｆとを遮断する（換言すると、接続しない）状態である。第２の接続状態は、スイッチング素子２２７Ｆが第１の送信回路２２４Ｆと電池２２６Ｆとを遮断するとともに、スイッチング素子２２７Ｆが第２の送信回路２２５Ｆと電池２２６Ｆとを接続する状態である。
【０２７８】
センサ２２８Ｆによる検出の結果が、タグ装置２０Ｆが生体の外部に位置することを表す場合、スイッチング素子２２７Ｆは、スイッチング素子２２７Ｆの状態を第１の接続状態に切り替える。更に、センサ２２８Ｆによる検出の結果が、タグ装置２０Ｆが生体の内部に位置することを表す場合、スイッチング素子２２７Ｆは、スイッチング素子２２７Ｆの状態を第２の接続状態に切り替える。
本例では、スイッチング素子２２７Ｆは、コンデンサに蓄電された電力を用いることにより動作する。なお、スイッチング素子２２７Ｆは、電池２２６Ｆに蓄電された電力を用いることにより動作してもよい。
【０２７９】
第１の送信回路２２４Ｆは、スイッチング素子２２７Ｆの状態が第１の接続状態である場合において、電池２２６Ｆに蓄電された電力を用いることにより、搬送波が第１の周波数を有する応答信号（換言すると、第１の応答信号）をアンテナ２１０を介して送信する。第１の送信回路２２４Ｆは、予め定められた第１の変調方式に従って変調された第１の応答信号を送信する。例えば、第１の変調方式は、ＡＭ方式、ＦＭ方式、又は、ＰＭ方式である。また、例えば、第１の変調方式は、ＡＭ方式、ＦＭ方式、及び、ＰＭ方式の少なくとも２つの組み合わせであってよい。
【０２８０】
第２の送信回路２２５Ｆは、スイッチング素子２２７Ｆの状態が第２の接続状態である場合において、電池２２６Ｆに蓄電された電力を用いることにより、搬送波が第２の周波数を有する応答信号（換言すると、第２の応答信号）をアンテナ２１０を介して送信する。第２の送信回路２２５Ｆは、予め定められた第２の変調方式に従って変調された第２の応答信号を送信する。例えば、第２の変調方式は、ＡＭ方式、ＦＭ方式、又は、ＰＭ方式である。また、例えば、第２の変調方式は、ＡＭ方式、ＦＭ方式、及び、ＰＭ方式の少なくとも２つの組み合わせであってよい。
【０２８１】
（動作）
次に、第３実施形態の第１変形例の無線通信システム１の動作について、図２１及び図２２を参照しながら説明する。
先ず、タグ装置２０Ｆが生体の外部に位置する場合を想定する。この場合、タグ装置２０Ｆのアンテナ２１０は、空気と接する。
【０２８２】
リーダ装置１０Ｅは、搬送波が第１の周波数を有する要求信号（換言すると、第１の要求信号）の送信と、搬送波が第２の周波数を有する要求信号（換言すると、第２の要求信号）の送信と、を開始する（図２１のステップＳ６０１）。
【０２８３】
一方、タグ装置２０Ｆは、第１の要求信号と、第２の要求信号と、を受信する。上記仮定に従えば、アンテナ２１０が空気と接しているので、アンテナ２１０の共振周波数は、第１の周波数と略一致する。従って、アンテナ２１０により受信される第１の要求信号の強度は、アンテナ２１０により受信される第２の要求信号の強度よりも大きい。
【０２８４】
タグ装置２０Ｆは、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０２８５】
更に、タグ装置２０Ｆは、要求信号のうちの第２の信号構成部が受信されている期間の少なくとも一部において、コンデンサに蓄電された電力を用いることにより、第２の信号構成部を復調し、復調された信号に基づいて、特定情報を取得する。
【０２８６】
一方、リーダ装置１０Ｅは、第１の要求信号の送信と、第２の要求信号の送信と、を終了する（図２１のステップＳ６０２）。
そして、リーダ装置１０Ｅは、搬送波が第１の周波数を有する応答信号（換言すると、第１の応答信号）の受信の待機と、搬送波が第２の周波数を有する応答信号（換言すると、第２の応答信号）の受信の待機と、を開始する（図２１のステップＳ６０３）。
【０２８７】
一方、タグ装置２０Ｆは、センサ２２８Ｆを用いることにより、タグ装置２０Ｆが生体の内部に位置するか否かを検出する。上記仮定に従えば、タグ装置２０Ｆは、タグ装置２０Ｆが生体の内部に位置しない（換言すると、生体の外部に位置する）ことを検出する。（図２１のステップＳ６０４１）。
【０２８８】
従って、スイッチング素子２２７Ｆは、スイッチング素子２２７Ｆの状態を第１の接続状態に切り替える。これにより、タグ装置２０Ｆは、第１の応答信号の送信を開始する（図２１のステップＳ６０５１）。
【０２８９】
従って、アンテナ２１０により送信される応答信号の搬送波は、第１の周波数を有する。換言すると、応答信号は、搬送波が第２の周波数を有する成分を含まない。
【０２９０】
一方、リーダ装置１０Ｅは、タグ装置２０Ｆにより送信された応答信号を受信する。上記仮定に従えば、リーダ装置１０Ｅは、第１の受信回路１５１により受信された第１の応答信号に基づいて応答情報を取得する。
【０２９１】
次に、タグ装置２０Ｆが生体の内部に位置する場合を想定する。この場合、タグ装置２０Ｆのアンテナ２１０は、生体の内部の液体（本例では、唾液）と接する。
【０２９２】
この場合においても、上述した場合と同様に、リーダ装置１０Ｅは、第１の要求信号の送信と、第２の要求信号の送信と、を開始する（図２２のステップＳ６０１）。
【０２９３】
一方、タグ装置２０Ｆは、第１の要求信号と、第２の要求信号と、を受信する。上記仮定に従えば、アンテナ２１０が生体の内部の液体と接しているので、アンテナ２１０の共振周波数は、第２の周波数と略一致する。従って、アンテナ２１０により受信される第２の要求信号の強度は、アンテナ２１０により受信される第１の要求信号の強度よりも大きい。
【０２９４】
タグ装置２０Ｆは、要求信号のうちの第１の信号構成部が受信されている期間の少なくとも一部において、第１のアンテナ構成部２１１及び第２のアンテナ構成部２１２の間に生じる電流を整流器によって整流することによりコンデンサに蓄電する。
【０２９５】
更に、タグ装置２０Ｆは、要求信号のうちの第２の信号構成部が受信されている期間の少なくとも一部において、コンデンサに蓄電された電力を用いることにより、第２の信号構成部を復調し、復調された信号に基づいて、特定情報を取得する。
【０２９６】
一方、リーダ装置１０Ｅは、第１の要求信号の送信と、第２の要求信号の送信と、を終了する（図２２のステップＳ６０２）。そして、リーダ装置１０Ｅは、第１の応答信号の受信の待機と、第２の応答信号の受信の待機と、を開始する（図２２のステップＳ６０３）。
【０２９７】
一方、タグ装置２０Ｆは、センサ２２８Ｆを用いることにより、タグ装置２０Ｆが生体の内部に位置するか否かを検出する。上記仮定に従えば、タグ装置２０Ｆは、タグ装置２０Ｆが生体の内部に位置することを検出する。（図２２のステップＳ６０４２）。
【０２９８】
従って、スイッチング素子２２７Ｆは、スイッチング素子２２７Ｆの状態を第２の接続状態に切り替える。これにより、タグ装置２０Ｆは、第２の応答信号の送信を開始する（図２２のステップＳ６０５２）。
【０２９９】
従って、アンテナ２１０により送信される応答信号の搬送波は、第２の周波数を有する。換言すると、応答信号は、搬送波が第１の周波数を有する成分を含まない。
【０３００】
一方、リーダ装置１０Ｅは、タグ装置２０Ｆにより送信された応答信号を受信する。上記仮定に従えば、リーダ装置１０Ｅは、第２の受信回路１５２により受信された第２の応答信号に基づいて応答情報を取得する。
【０３０１】
以上、説明したように、第３実施形態の第１変形例の無線通信システム１によれば、第３実施形態の無線通信システム１と同様の作用及び効果が奏される。
更に、第３実施形態の第１変形例の無線通信システム１において、タグ装置２０Ｆは、タグ装置２０Ｆが生体の外部に位置すると検出された場合、タグ装置２０Ｆにより送信される信号の搬送波が有する周波数を第１の周波数に制御し、一方、タグ装置２０Ｆが生体の内部に位置すると検出された場合、タグ装置２０Ｆにより送信される信号の搬送波が有する周波数を第２の周波数に制御する。
【０３０２】
これによれば、タグ装置２０Ｆが生体の内部に位置する場合に、タグ装置２０Ｆが第１の周波数を有する信号を送信することを抑制できる。また、タグ装置２０Ｆが生体の外部に位置する場合に、タグ装置２０Ｆが第２の周波数を有する信号を送信することを抑制できる。従って、例えば、タグ装置２０Ｆが、第１の周波数を有する信号、及び、第２の周波数を有する信号のそれぞれを送信する場合よりも、タグ装置２０Ｆが消費する電力の量を抑制できる。
【０３０３】
なお、搬送波が第１の周波数を有する信号の送信と、搬送波が第２の周波数を有する信号の送信と、のうちの一方のみが所定の閾値時間以上に亘って継続した場合、タグ装置２０Ｆは、タグ装置２０Ｆが生体の内部に位置するか否かの検出と、検出の結果に基づく周波数の制御と、を再び実行してもよい。
【０３０４】
これによれば、タグ装置２０Ｆが生体の内部と生体の外部との間で移動した場合であっても、リーダ装置１０Ｅは、タグ装置２０Ｆが有するアンテナ２１０を介して、タグ装置２０Ｆと通信できる。
【０３０５】
なお、無線通信システム１は、リーダ装置１０Ｅが、第１の周波数の信号及び第２の周波数の信号の、受信の待機を開始する前に、タグ装置２０Ｆが、生体の内部に位置するか否かの検出、及び、第１の周波数の信号又は第２の周波数の信号の送信を開始してもよい。
【０３０６】
なお、本発明は、上述した実施形態に限定されない。例えば、上述した実施形態に、本発明の趣旨を逸脱しない範囲内において当業者が理解し得る様々な変更が加えられてよい。例えば、本発明の趣旨を逸脱しない範囲内において、上述した実施形態の他の変形例として、上述した実施形態及び変形例の任意の組み合わせが採用されてもよい。
【符号の説明】
【０３０７】
１      無線通信システム
１０，１０Ｂ，１０Ｃ，１０Ｅ  リーダ装置
１１０，１１０Ｂ，１１０Ｃ，１１０Ｅ  制御回路
１２１  第１の送信回路
１２２  第２の送信回路
１３１  第１の送信アンテナ
１３２  第２の送信アンテナ
１４１  第１の受信アンテナ
１４２  第２の受信アンテナ
１５１  第１の受信回路
１５２  第２の受信回路
２０，２０Ｂ，２０Ｃ，２０Ｄ，２０Ｅ，２０Ｆ  タグ装置
２１０  アンテナ
２１１  第１のアンテナ構成部
２１２  第２のアンテナ構成部
２２０，２２０Ｂ，２２０Ｃ，２２０Ｄ，２２０Ｅ，２２０Ｆ  ＩＣ部
２２１  スイッチング素子
２２２，２２２Ｂ  変調回路
２２３Ｂ  センサ
２２４Ｃ，２２４Ｄ，２２４Ｅ，２２４Ｆ  第１の送信回路
２２５Ｃ，２２５Ｄ，２２５Ｅ，２２５Ｆ  第２の送信回路
２２６Ｃ，２２６Ｄ，２２６Ｅ，２２６Ｆ  電池
２２７Ｄ，２２７Ｆ  スイッチング素子
２２８Ｄ，２２８Ｆ  センサ
【図１】
0006667181.tif 000002
【図２】
0006667181.tif 000003
【図３】
0006667181.tif 000004
【図４】
0006667181.tif 000005
【図５】
0006667181.tif 000006
【図６】
0006667181.tif 000007
【図７】
0006667181.tif 000008
【図８】
0006667181.tif 000009
【図９】
0006667181.tif 000010
【図１０】
0006667181.tif 000011
【図１１】
0006667181.tif 000012
【図１２】
0006667181.tif 000013
【図１３】
0006667181.tif 000014
【図１４】
0006667181.tif 000015
【図１５】
0006667181.tif 000016
【図１６】
0006667181.tif 000017
【図１７】
0006667181.tif 000018
【図１８】
0006667181.tif 000019
【図１９】
0006667181.tif 000020
【図２０】
0006667181.tif 000021
【図２１】
0006667181.tif 000022
【図２２】
0006667181.tif 000023